(57)【要約】【課題】既存ＰＳＴＮで提供されている既存の加入者交換機機能メニューサービス（高度サービス）と同様のサービスを、既存ＰＳＴＮの交換機を改造することなくＩＰ網において提供する。【解決手段】既にＩＰ網（ＩＰ電話網）を構築している設備に特別な改造を加えないで済むようにすることを基本方針とし、高度サービスに係る機能としてＡＳ（アプリケーションサーバ）１ａを新たに設け、ＡＳ１ａが、既存のＰＳＴＮで用いられているＳＣＰ６やＳＲＰ７を制御することで実現する。そのため、ＡＳ１ａが直接にＳＣＰ６から接続制御指示を受信して、（１）発着通信、発信者用の音声ガイダンス装置への通信、および着信者用の音声ガイダンス装置への通信の独立した３つの通信を一元的に管理する機能、（２）発信者および着信者それぞれの音声パスを適切に切り換える機能、を備える。【選択図】 図１３
2011160220.tif 000002
【特許請求の範囲】
【請求項１】
ＩＰ（Internet Protocol）網、既設ＰＳＴＮ(Public Switched Telephone Networks)、および、前記ＩＰ網と前記既設ＰＳＴＮとは別の他網が相互接続点によって接続されて構成され、前記ＩＰ網の端末を発信側、前記既設ＰＳＴＮの端末を着信側とし、前記他網に設置されている高度サービスを提供するサービス制御装置を用いて、前記サービス制御装置から指示されるサービス提供情報に基づいて高度サービスを提供するサービス提供システムであって、
前記ＩＰ網は、発信側の前記端末、その端末の信号をＩＰ用の情報に変換するＩＰ変換装置、前記端末を前記ＩＰ変換装置を介して収容する加入者サーバ、前記加入者サーバおよび前記サービス制御装置と接続するアプリケーションサーバ、および前記既設ＰＳＴＮへの関門装置を示す第１のＰＳＴＮゲートウェイ装置によって構成され、
前記第１のＰＳＴＮゲートウェイ装置は、前記加入者サーバを介して前記アプリケーションサーバおよび前記発信側の端末と通信可能に接続され、
前記アプリケーションサーバは、
前記他網を識別する他網識別情報と、前記加入者サーバから受信するアクセス情報とを関連付けて記憶している記憶部を備え、
前記加入者サーバから前記アクセス情報を受信し、当該アクセス情報に紐付けられている前記他網識別情報に対応する他網に設置されている前記サービス制御装置へ、高度サービスの提供を要求する制御指示要求のＩＮＡＰ（Intelligent Network Application Protocol）オペレーションを送信する手段、
当該サービス制御装置からＩＮＡＰオペレーションによって前記制御指示要求に対応するサービス提供情報を受信する手段、
受信した当該サービス提供情報に基づいて、着信側の前記端末に接続を要求する接続要求を送信し、その接続要求に対応する応答情報を受信して、当該応答情報から着信側の前記端末に接続するときに用いる前記第１のＰＳＴＮゲートウェイ装置のポート情報を取得する手段、
発信側の前記端末の接続している前記ＩＰ変換装置のポート情報を前記加入者サーバを介して受信する手段、
当該ＩＰ変換装置のポート情報を前記第１のＰＳＴＮゲートウェイ装置に送信し、前記第１のＰＳＴＮゲートウェイ装置のポート情報を当該ＩＰ変換装置に送信して、発信側および着信側の前記端末同士を接続する手段、
を備えることを特徴とするサービス提供システム。
【請求項２】
前記他網は、さらに前記高度サービスについての音声ガイダンスを送出する音声ガイダンス装置を備え、
前記ＩＰ網は、さらに前記アプリケーションサーバと前記音声ガイダンス装置との間の通信を中継する関門装置を示す第２のＰＳＴＮゲートウェイ装置を備え、
前記アプリケーションサーバは、
前記サービス提供装置から受信した前記サービス提供情報に基づいて、前記音声ガイダンス装置と前記端末とを接続するか否かを判定する手段、
前記音声ガイダンス装置と前記端末とを接続すると判定した場合、
前記サービス提供装置によって指示された前記音声ガイダンス装置から音声ガイダンスを送出することを示す情報を受信したとき、前記音声ガイダンス装置を接続する前記第２のＰＳＴＮゲートウェイ装置のポート情報を発信側の前記端末を収容する前記ＩＰ変換装置および着信側の前記端末に接続可能な前記第１のＰＳＴＮゲートウェイ装置に送信する手段、
発信側の前記端末を収容する前記ＩＰ変換装置のポート情報を前記第２のＰＳＴＮゲートウェイ装置に送信し、着信側の前記端末に接続可能な前記第１のＰＳＴＮゲートウェイ装置のポート情報を前記第２のＰＳＴＮゲートウェイ装置に送信して、前記音声ガイダンス装置と発信側の前記端末との間および前記音声ガイダインス装置と着信側の前記端末との間を暫定接続する手段、
を備えることを特徴とする請求項１に記載のサービス提供システム。
【請求項３】
前記アプリケーションサーバは、
ＢＹＥメソッドを前記第２のＰＳＴＮゲートウェイ装置に送信して、前記音声ガイダンス装置と前記端末との間の暫定接続を解放する手段、
着信側の前記端末の接続している前記第１のＰＳＴＮゲートウェイ装置のポート情報を前記ＩＰ変換装置に送信し、発信側の前記端末の接続している前記ＩＰ変換装置のポート情報を前記第１のＰＳＴＮゲートウェイ装置に送信して前記暫定接続を切り換え、発信側および着信側の前記端末同士を接続する手段、
を備えることを特徴とする請求項２に記載のサービス提供システム。
【請求項４】
前記ＩＰ変換装置は、
発信側の前記端末の発番号と前記高度サービスの提供を受ける登録情報とを関連付けて記憶している記憶部、
発信側の前記端末から内線番号のダイヤル入力またはオフフックの信号を受信したとき、前記ＩＰ変換装置の記憶部を参照して、前記端末の発番号に前記高度サービスの提供を受ける登録情報が関連付けられているか否かを判定する手段、
前記端末の発番号に前記高度サービスの提供を受ける登録情報が関連付けられていると判定した場合、着番号を、前記端末の発番号に前記高度サービスの提供を受ける登録情報が関連付けられていることを示す識別可能な着番号情報で置き換え、当該着番号情報と前記発番号とを前記加入者サーバに送信する手段、
を備え、
前記加入者サーバは、
前記発番号と前記アプリケーションサーバのアクセス先とを関連付けて記憶している記憶部、
前記ＩＰ変換装置から送信された前記発番号と前記着番号とを抽出する手段、
前記着番号が前記着番号情報に置き換えられていることを検出する手段、
前記着番号情報を検出した場合、前記加入者サーバの記憶部を参照して、当該発番号に関連付けられているアクセス先の前記アプリケーションサーバを抽出する手段、
前記発番号と発信側の前記端末の接続している前記ＩＰ変換装置のポート情報とを前記アクセス情報として当該アプリケーションサーバに送信する手段、
を備えることを特徴とする請求項１に記載のサービス提供システム。
【請求項５】
前記ＩＰ変換装置は、
高度サービスのサービスを識別するために前記端末からダイヤル入力される高度サービス用の電話番号の一部または全部を記憶している記憶部、
発信側の前記端末から前記高度サービ用の電話番号を受信したとき、前記ＩＰ変換装置の記憶部を参照して、前記高度サービス用の電話番号の一部または全部が記憶されているか否かを判定するステップ、
前記高度サービス用の電話番号の一部または全部が記憶されていると判定した場合、当該高度サービス用の電話番号と当該端末の初番号とを前記加入者サーバに送信する手段、
を備え、
前記加入者サーバは、
前記高度サービス用の電話番号の一部または全部と前記アプリケーションサーバのアクセス先とを関連付けて記憶する記憶部、
前記ＩＰ変換装置から前記高度サービス用の電話番号と前記発番号とを受信する手段、
前記高度サービス用の電話番号を用いて、前記加入者サーバの記憶部を参照して、当該高度サービス用の電話番号に関連付けられているアクセス先の前記アプリケーションサーバを抽出する手段、
前記発番号と発信側の前記端末の接続している前記ＩＰ変換装置のポート情報とを前記アクセス情報として当該アプリケーションサーバに送信する手段、
を備えることを特徴とする請求項１に記載のサービス提供システム。
【請求項６】
請求項１に記載のサービス提供システムにおいて用いられるアプリケーションサーバであって、
前記他網を識別する他網識別情報と、前記加入者サーバから受信するアクセス情報とを関連付けて記憶している記憶部を備え、
前記加入者サーバから前記アクセス情報を受信し、当該アクセス情報に紐付けられている前記他網識別情報に対応する他網に設置されている前記サービス制御装置へ、高度サービスの提供を要求する制御指示要求のＩＮＡＰ（Intelligent Network Application Protocol）オペレーションを送信する手段、
当該サービス制御装置からＩＮＡＰオペレーションによって前記制御指示要求に対応するサービス提供情報を受信する手段、
受信した当該サービス提供情報に基づいて、着信側の前記端末に接続を要求する接続要求を送信し、その接続要求に対応する応答情報を受信して、当該応答情報から着信側の前記端末に接続するときに用いる前記第１のＰＳＴＮゲートウェイ装置のポート情報を取得する手段、
発信側の前記端末の接続している前記ＩＰ変換装置のポート情報を前記加入者サーバを介して受信する手段、
当該ＩＰ変換装置のポート情報を前記第１のＰＳＴＮゲートウェイ装置に送信し、前記第１のＰＳＴＮゲートウェイ装置のポート情報を当該ＩＰ変換装置に送信して、発信側および着信側の前記端末同士を接続する手段、
を備えることを特徴とするアプリケーションサーバ。
【請求項７】
請求項２に記載のサービス提供システムにおいて用いられるアプリケーションサーバであって、
前記サービス提供装置から受信した前記サービス提供情報に基づいて、前記音声ガイダンス装置と前記端末とを接続するか否かを判定する手段、
前記音声ガイダンス装置と前記端末とを接続すると判定した場合、
前記サービス提供装置によって指示された前記音声ガイダンス装置から音声ガイダンスを送出することを示す情報を受信したとき、前記音声ガイダンス装置を接続する前記第２のＰＳＴＮゲートウェイ装置のポート情報を発信側の前記端末を収容する前記ＩＰ変換装置および着信側の前記端末に接続可能な前記第１のＰＳＴＮゲートウェイ装置に送信する手段、
発信側の前記端末を収容する前記ＩＰ変換装置のポート情報を前記第２のＰＳＴＮゲートウェイ装置に送信し、着信側の前記端末に接続可能な前記第１のＰＳＴＮゲートウェイ装置のポート情報を前記第２のＰＳＴＮゲートウェイ装置に送信して、前記音声ガイダンス装置と発信側の前記端末との間および前記音声ガイダインス装置と着信側の前記端末との間を暫定接続する手段、
を備えることを特徴とする請求項６に記載のアプリケーションサーバ。
【請求項８】
請求項３に記載のサービス提供システムにおいて用いられるアプリケーションサーバであって、
ＢＹＥメソッドを前記第２のＰＳＴＮゲートウェイ装置に送信して、前記音声ガイダンス装置と前記端末との間の暫定接続を解放する手段、
着信側の前記端末の接続している前記第１のＰＳＴＮゲートウェイ装置のポート情報を前記ＩＰ変換装置に送信し、発信側の前記端末の接続している前記ＩＰ変換装置のポート情報を前記第１のＰＳＴＮゲートウェイ装置に送信して前記暫定接続を切り換え、発信側および着信側の前記端末同士を接続する手段、
を備えることを特徴とする請求項７に記載のアプリケーションサーバ。
【請求項９】
既設ＰＳＴＮが、ＩＰ網と、前記ＩＰ網および前記既設ＰＳＴＮとは別の他網と相互接続点によって接続され、前記ＩＰ網の端末を発信側、前記既設ＰＳＴＮの端末を着信側とし、前記他網に設置されている高度サービスを提供するサービス制御装置を用いて、前記サービス制御装置から指示されるサービス提供情報に基づいて前記既設ＰＳＴＮに設置されている交換機が前記高度サービスを提供するサービス提供システムであって、
前記ＩＰ網は、発信側の前記端末、その端末の信号をＩＰ用の情報に変換するＩＰ変換装置、前記端末を前記ＩＰ変換装置を介して収容する加入者サーバ、前記加入者サーバと接続するアプリケーションサーバ、および前記既設ＰＳＴＮへの関門装置を示すＰＳＴＮゲートウェイ装置によって構成され、
前記ＰＳＴＮゲートウェイ装置は、前記加入者サーバを介して前記アプリケーションサーバおよび前記発信側の端末と通信可能に接続され、
前記アプリケーションサーバは、
前記他網を識別する他網識別情報と、前記加入者サーバから受信するアクセス情報とを関連付けて記憶している記憶部を備え、
発信側の前記端末の接続している前記ＩＰ変換装置のポート情報を前記加入者サーバを介して受信する手段、
前記加入者サーバから前記アクセス情報を受信し、前記アクセス情報に含まれる発信側の前記端末の発番号と、当該ＩＰ変換装置のポート情報と、前記既設ＰＳＴＮに設置されている交換機が前記サービス制御装置にアクセスするときに用いるパラメータをＩＳＵＰ（Integrated Service digital network User Part）で記述した情報とを、前記高度サービスの提供を要求する制御指示要求として、前記既設ＰＳＴＮに設置されている交換機に送信する手段、
前記既設ＰＳＴＮを構成する交換機から前記ＰＳＴＮゲートウェイ装置を介して、着信側の前記端末から発信側の前記端末への接続要求を受信した場合、受信した当該接続要求の通過した前記ＰＳＴＮゲートウェイ装置のポート情報を前記ＩＰ変換装置に送信する手段、
を備え、
前記既設ＰＳＴＮに設置されている交換機は、
前記アプリケーションサーバから前記制御指示要求を受信する手段、
当該制御指示要求をＩＮＡＰオペレーションを用いて当該他網識別情報に対応する他網に設置されている前記サービス制御装置へ送信する手段、
当該サービス制御装置からＩＮＡＰオペレーションによって前記制御指示要求に対応するサービス提供情報を受信する手段、
受信した当該サービス提供情報に基づいて、着信側の前記端末に接続を要求する接続要求を送信し、着信側の前記端末から発信側の前記端末への接続要求を受信したときに、前記アプリケーションサーバに向けて着信側の前記端末の接続要求を前記ＰＳＴＮゲートウェイ装置を介して送信する手段、
を備え、
発信側の前記端末と着信側の前記端末とを接続することを示す発着接続を行う
ことを特徴とするサービス提供システム。
【発明の詳細な説明】
【技術分野】
【０００１】
本発明は、ＰＳＴＮ（Public Switched Telephone Networks；公衆交換電話網）で既に実施されている電話サービスを、ＩＰ（Internet Protocol）網において提供する技術に関する。
【背景技術】
【０００２】
ＰＳＴＮにおいて既に提供されている電話サービスの一つに、加入者交換機機能メニューサービスがある。加入者交換機機能メニューサービス（以降、高度サービスと称す。）は、ある通信事業者（Ａ事業者）が他の通信事業者（Ｂ事業者）の通信網を利用してユーザに高度な通信サービスを提供するものである。サービス非依存および事業者非依存の共通化された機能（課金、番号変換等の機能メニュー）をＢ事業者の加入者交換機に配備することによって、Ｂ事業者の網内を改造することなく、Ａ事業者は、自身の保有するＳＣＰ（サービス制御ポイント；サービス制御装置）から機能メニューを指示して、高度サービスを提供することができる（非特許文献１参照）。加入者交換機機能メニューサービスの具体例として、フリーダイヤル（登録商標）がある。すなわち、「０１２０−Ｄ〜Ｊ」を発信すると、発信者には課金されずに、着信者に課金される。
【０００３】
従来のＰＳＴＮにおいて加入者交換機機能メニューサービスを提供するサービス提供システムの構成、およびその動作例について、図１，図２を用いて説明する（非特許文献２，３参照）。ＳＣＰ（サービス制御装置）へのアクセス方法には、加入者属性トリガによる方法と、ダイヤル番号トリガによる方法との２つがある。加入者属性トリガは、事前にＳＣＰアクセスを行うことを登録済みの端末８ａから発信される内線番号ダイヤル（０＋内線番号）またはオフフックをトリガとして、サービスが開始されるものである。また、ダイヤル番号トリガは、事前に登録されているＳＣＰアクセス用番号（例えば、０ＡＢ０−Ｄ〜Ｊ）を発信することで、サービスが開始されるものである。図１は、加入者属性トリガの場合の、従来の加入者交換機機能メニューサービスにおける動作例を示している。また、図２は、ダイヤル番号トリガの場合の、従来の加入者交換機機能メニューサービスにおける動作例を示している。なお、図１，２では、主な動作を説明するために、説明に必要なＰＳＴＮの構成のみを示している。
【０００４】
図１に示すＰＳＴＮでは、発側の端末８ａ（電話機）から着側の端末８ｂ（電話機）へ電話を掛ける場合に、端末８ａのダイヤル入力に基づいて、ＧＣ（加入者交換機）およびその上位に位置するＺＣ（特定中継交換機）を経由して、端末８ａと端末８ｂとの間にパスが形成され、通話が行えるようになる。ただし、発側の端末８ａが事前にＳＣＰアクセス加入の登録がなされている場合には、ＧＣから共通線網を経由して接続される他事業者網のＳＣＰから、登録内容に対応する高度サービスの提供を受けつつ、通話が行えるようになる。
【０００５】
図１に示す加入者属性トリガの場合の具体的な動作例について、以下に説明する。
ステップＳ１１では、ＳＣＰアクセス加入の登録済みの端末８ａを用いて、ＳＣＰアクセス加入者が内線番号ダイヤル入力（例えば、０＋内線番号）またはオフフックによって発信する。
ステップＳ１２では、発側のＧＣが、発信を検出して、ＳＣＰアクセス用の発信か否かを判定し、ＳＣＰアクセス用の発信であることを認識した場合には、ＳＣＰに問い合わせを行う。ＳＣＰへの問い合わせは、高度サービスの提供を要求する制御指示要求を行うＩＮＡＰ（Intelligent Network Application Protocol）オペレーションによって行われる。
【０００６】
ステップＳ１３では、ＳＣＰは、ＩＮＡＰオペレーションによって、制御指示要求によって要求された高度サービスを提供する接続制御指示（サービス提供情報）を発側のＧＣへ送信する。
ステップＳ１４では、発側のＧＣは、ＳＣＰから受信した接続制御指示に基づいて発ＩＤ通知条件を生成し、接続制御を実行する。また、発側のＧＣは、ガイダンス接続を行う場合には、ＳＲＰ（音声ガイダンス装置）が接続されているＺＣ（ＩＧＳ）を介して暫定パスを形成し、端末８ａ，８ｂにガイダンスを流すことができる。
ステップＳ１５では、着信者の端末８ｂを収容している着側のＧＣは、発側のＧＣによって生成された発ＩＤ通知条件に基づいて着信接続を進める。そして、端末８ａと端末８ｂとの間で、通話が行えるようになる。なお、着信者の端末８が他事業者網（他網）に存在する場合（不図示）には、ＩＧＳ（関門交換機）を介して接続されることになる。
【０００７】
図２には、ダイヤル番号トリガの場合の従来の加入者交換機機能メニューサービスにおける動作例を示す。ダイヤル番号トリガは、例えば、ＳＣＰアクセス加入として登録された番号（０ＡＢ０−Ｄ〜Ｊ）を発信することでサービスが開始されるものである。なお、図２に示すネットワーク構成は、図１に示すネットワーク構成と同様である。
ステップＳ２１では、利用者が端末８ｃからＳＣＰアクセス用の番号（例えば、０ＡＢ０−Ｄ〜Ｊ）のダイヤル入力によって発信する。
ステップＳ２２では、発側のＧＣが、発信を検出して、ＳＣＰアクセス用の番号であることを認識した場合には、ＳＣＰに問い合わせを行う。ＳＣＰへの問い合わせは、ステップＳ１２と同様に、制御指示要求のためのＩＮＡＰオペレーションによって行われる。
なお、ステップＳ２２以降のステップＳ２３〜Ｓ２５における動作は、それぞれ図１に示すステップＳ１３〜Ｓ１５における動作と同様であるので、説明を省略する。
【０００８】
図２の動作を、フリーダイヤル（登録商標）を例として、説明する。ステップＳ２１では、端末８ｃからＳＣＰアクセス用の番号「０１２０−ＸＸＸ−ＸＸＸ」がダイヤル入力される。ステップＳ２２では、ＧＣは、ＳＣＰアクセス用の番号を認識し、ＳＣＰ６に制御指示要求を送信する。ステップＳ２３では、ＳＣＰは、ＳＣＰアクセス用の番号に対応するユーザの電話番号を示す接続制御指示をＧＣに送信する。ステップＳ２４では、ＧＣは、受信したユーザ電話番号に基づいて、接続制御（ルーチング）を行う。ステップＳ２５では、着側のＧＣは、着信接続を実行する。
【先行技術文献】
【非特許文献】
【０００９】
【非特許文献１】電気通信事業法第３３条第２項及び第７項に基づく第１種指定電気通信設備との接続に関する契約約款
【非特許文献２】ＮＴＴ東日本、“第１８節  形態６−２”、[online]、[平成２２年１月７日検索]、インターネット＜URL:http://www.ntt-east.co.jp/info-st/constip/cons1/pdf/gijutsu/keitai6-2.pdf＞
【非特許文献３】ＮＴＴ東日本、“第１８節の２  形態６−３”、[online]、[平成２２年１月７日検索]、インターネット＜URL:http://www.ntt-east.co.jp/info-st/constip/cons1/pdf/gijutsu/keitai6-3.pdf＞
【発明の概要】
【発明が解決しようとする課題】
【００１０】
しかし、従来技術では、高度サービス（加入者交換機機能メニューサービス）の実現のために、サービス非依存ではあるが、ＧＣにも高度サービスの提供に必要な機能の一部を分担させていた。そのため、高度サービスのメニューに変更があると、それにともなってＧＣにも更改が必要になるという問題があった。そこで、本発明では、高度サービスに係る機能を備えるＡＳ（アプリケーションサーバ）を新たに設けて、ＡＳが、既存のＰＳＴＮで用いられているＳＣＰ（サービス制御装置）やＳＲＰ（音声ガイダンス装置）を制御することによって、ＩＰ網における高度サービスを実現し、ＡＳ以外の既にＩＰ網（ＩＰ電話網）を構築している設備や既設のＰＳＴＮを構成する交換機に特別な改造を加えないで済むようにすることを基本方針とする。
【００１１】
前記した基本方針の下で、既存のＳＣＰを利用する場合には、ＡＳは、ＳＩＰ（Session Initiation Protocol）を用いてＳＣＰとの間でＩＮＡＰオペレーションを送受信する必要があるが、ＳＣＰとの間での通信制御についての検討例はほとんどない。また、ＡＳは、ＳＩＰを用いて、発信者の端末と着信者の端末との間の音声パスの切り替え、発着通信、およびＳＲＰと端末との通信等の、通信制御を行う必要があるが、検討例はほとんどない。
【００１２】
そこで、本発明の課題は、既存のＰＳＴＮを構成する交換機を改造することなく、他網のＳＣＰやＳＲＰを利用して、既存の高度サービスと同様のサービスを、ＩＰ網において提供することを目的とする。
【課題を解決するための手段】
【００１３】
本発明は、ＩＰ（Internet Protocol）網、既設ＰＳＴＮ(Public Switched Telephone Networks)、および、前記ＩＰ網と前記既設ＰＳＴＮとは別の他網が相互接続点によって接続されて構成され、前記ＩＰ網の端末を発信側、前記既設ＰＳＴＮの端末を着信側とし、前記他網に設置されている高度サービスを提供するサービス制御装置を用いて、前記サービス制御装置から指示されるサービス提供情報に基づいて高度サービスを提供するサービス提供システムであって、前記ＩＰ網が、発信側の前記端末、その端末の信号をＩＰ用の情報に変換するＩＰ変換装置、前記端末を前記ＩＰ変換装置を介して収容する加入者サーバ、前記加入者サーバおよび前記サービス制御装置と接続するアプリケーションサーバ、および前記既設ＰＳＴＮへの関門装置を示す第１のＰＳＴＮゲートウェイ装置によって構成され、前記第１のＰＳＴＮゲートウェイ装置が、前記加入者サーバを介して前記アプリケーションサーバおよび前記発信側の端末と通信可能に接続され、前記アプリケーションサーバが、前記他網を識別する他網識別情報と、前記加入者サーバから受信するアクセス情報とを関連付けて記憶している記憶部を備え、前記加入者サーバから前記アクセス情報を受信し、当該アクセス情報に紐付けられている前記他網識別情報に対応する他網に設置されている前記サービス制御装置へ、高度サービスの提供を要求する制御指示要求のＩＮＡＰ（Intelligent Network Application Protocol）オペレーションを送信する手段、当該サービス制御装置からＩＮＡＰオペレーションによって前記制御指示要求に対応するサービス提供情報を受信する手段、受信した当該サービス提供情報に基づいて、着信側の前記端末に接続を要求する接続要求を送信し、その接続要求に対応する応答情報を受信して、当該応答情報から着信側の前記端末に接続するときに用いる前記第１のＰＳＴＮゲートウェイ装置のポート情報を取得する手段、発信側の前記端末の接続している前記ＩＰ変換装置のポート情報を前記加入者サーバを介して受信する手段、当該ＩＰ変換装置のポート情報を前記第１のＰＳＴＮゲートウェイ装置に送信し、前記第１のＰＳＴＮゲートウェイ装置のポート情報を当該ＩＰ変換装置に送信して、発信側および着信側の前記端末同士を接続する手段、を備えることを特徴とする。
【００１４】
このような構成によれば、ＩＰ網に位置するアプリケーションサーバは、接続対象同士のパス上に位置していなくても、他網のサービス制御装置からのサービス提供情報（接続制御指示）に基づいて、既存ＰＳＴＮにおいて提供されている高度サービスと同様のサービスを提供しつつ、接続対象同士を接続する発着接続を行うことができる。また、アプリケーションサーバは、サービス制御装置に直接アクセスするので、アプリケーションサーバ以外の既存ＩＰ網の設備や既存のＰＳＴＮを構成する交換機を改造する必要はない。
【００１５】
また、本発明は、前記他網が、さらに前記高度サービスについての音声ガイダンスを送出する音声ガイダンス装置を備え、前記ＩＰ網が、さらに前記アプリケーションサーバと前記音声ガイダンス装置との間の通信を中継する関門装置を示す第２のＰＳＴＮゲートウェイ装置を備え、前記アプリケーションサーバが、前記サービス提供装置から受信した前記サービス提供情報に基づいて、前記音声ガイダンス装置と前記端末とを接続するか否かを判定する手段、前記音声ガイダンス装置と前記端末とを接続すると判定した場合、前記サービス提供装置によって指示された前記音声ガイダンス装置から音声ガイダンスを送出することを示す情報を受信したとき、前記音声ガイダンス装置を接続する前記第２のＰＳＴＮゲートウェイ装置のポート情報を発信側の前記端末を収容する前記ＩＰ変換装置および着信側の前記端末に接続可能な前記第１のＰＳＴＮゲートウェイ装置に送信する手段、発信側の前記端末を収容する前記ＩＰ変換装置のポート情報を前記第２のＰＳＴＮゲートウェイ装置に送信し、着信側の前記端末に接続可能な前記第１のＰＳＴＮゲートウェイ装置のポート情報を前記第２のＰＳＴＮゲートウェイ装置に送信して、前記音声ガイダンス装置と発信側の前記端末との間および前記音声ガイダインス装置と着信側の前記端末との間を暫定接続する手段、を備えることを特徴とする。
【００１６】
このような構成によれば、アプリケーションサーバは、接続相手の接続しているポート情報を接続対象に送信することによって、通話相手以外の音声ガイダンス装置と暫定接続することができる。すなわち、既存ＰＳＴＮにおいて提供されている高度サービスと同様のサービスを提供しつつ、接続対象同士を接続する暫定接続を行うことができる。
【００１７】
また、本発明は、前記アプリケーションサーバが、ＢＹＥメソッドを前記第２のＰＳＴＮゲートウェイ装置に送信して、前記音声ガイダンス装置と前記端末との間の暫定接続を解放する手段、着信側の前記端末の接続している前記第１のＰＳＴＮゲートウェイ装置のポート情報を前記ＩＰ変換装置に送信し、発信側の前記端末の接続している前記ＩＰ変換装置のポート情報を前記第１のＰＳＴＮゲートウェイ装置に送信して前記暫定接続を切り換え、発信側および着信側の前記端末同士を接続する手段、を備えることを特徴とする。
【００１８】
このような構成によれば、アプリケーションサーバは、暫定接続を解放した後、接続相手の接続しているポート情報を接続対象に送信することによって、暫定接続を切り換えて、発信側の端末と着信側の端末とを接続することができる。すなわち、既存ＰＳＴＮにおいて提供されている高度サービスと同様のサービスを提供しつつ、接続対象同士を接続することができる。
【００１９】
また、本発明は、前記ＩＰ変換装置が、発信側の前記端末の発番号と前記高度サービスの提供を受ける登録情報とを関連付けて記憶している記憶部、発信側の前記端末から内線番号のダイヤル入力またはオフフックの信号を受信したとき、前記ＩＰ変換装置の記憶部を参照して、前記端末の発番号に前記高度サービスの提供を受ける登録情報が関連付けられているか否かを判定する手段、前記端末の発番号に前記高度サービスの提供を受ける登録情報が関連付けられていると判定した場合、着番号を、前記端末の発番号に前記高度サービスの提供を受ける登録情報が関連付けられていることを示す識別可能な着番号情報で置き換え、当該着番号情報と前記発番号とを前記加入者サーバに送信する手段、を備え、前記加入者サーバが、前記発番号と前記アプリケーションサーバのアクセス先とを関連付けて記憶している記憶部、前記ＩＰ変換装置から送信された前記発番号と前記着番号とを抽出する手段、前記着番号が前記着番号情報に置き換えられていることを検出する手段、前記着番号情報を検出した場合、前記加入者サーバの記憶部を参照して、当該発番号に関連付けられているアクセス先の前記アプリケーションサーバを抽出する手段、前記発番号と発信側の前記端末の接続している前記ＩＰ変換装置のポート情報とを前記アクセス情報として当該アプリケーションサーバに送信する手段、を備えることを特徴とする。
【００２０】
このような構成によれば、ＩＰ変換装置が、高度サービスの提供を受ける登録がされている発信側の端末からの内線番号のダイヤル入力またはオフフックによる発信を検出し、登録済みであるか否かを判定することによって、既存ＰＳＴＮにおいて提供されている高度サービスと同様のサービスを提供することができる。
【００２１】
また、本発明は、前記ＩＰ変換装置が、高度サービスのサービスを識別するために前記端末からダイヤル入力される高度サービス用の電話番号の一部または全部を記憶している記憶部、発信側の前記端末から前記高度サービ用の電話番号を受信したとき、前記ＩＰ変換装置の記憶部を参照して、前記高度サービス用の電話番号の一部または全部が記憶されているか否かを判定するステップ、前記高度サービス用の電話番号の一部または全部が記憶されていると判定した場合、当該高度サービス用の電話番号と当該端末の初番号とを前記加入者サーバに送信する手段、
を備え、前記加入者サーバが、前記高度サービス用の電話番号の一部または全部と前記アプリケーションサーバのアクセス先とを関連付けて記憶する記憶部、前記ＩＰ変換装置から前記高度サービス用の電話番号と前記発番号とを受信する手段、前記高度サービス用の電話番号を用いて、前記加入者サーバの記憶部を参照して、当該高度サービス用の電話番号に関連付けられているアクセス先の前記アプリケーションサーバを抽出する手段、前記発番号と発信側の前記端末の接続している前記ＩＰ変換装置のポート情報とを前記アクセス情報として当該アプリケーションサーバに送信する手段、を備えることを特徴とする。
【００２２】
このような構成によれば、ＩＰ変換装置が、高度サービスのサービスを識別するために用いられる高度サービス用の電話番号による発信を検出することによって、既存ＰＳＴＮにおいて提供されている高度サービスと同様のサービスを提供することができる。
【００２３】
また、本発明は、アプリケーションサーバであって、前記他網を識別する他網識別情報と、前記加入者サーバから受信するアクセス情報とを関連付けて記憶している記憶部を備え、前記加入者サーバから前記アクセス情報を受信し、当該アクセス情報に紐付けられている前記他網識別情報に対応する他網に設置されている前記サービス制御装置へ、高度サービスの提供を要求する制御指示要求のＩＮＡＰ（Intelligent Network Application Protocol）オペレーションを送信する手段、当該サービス制御装置からＩＮＡＰオペレーションによって前記制御指示要求に対応するサービス提供情報を受信する手段、受信した当該サービス提供情報に基づいて、着信側の前記端末に接続を要求する接続要求を送信し、その接続要求に対応する応答情報を受信して、当該応答情報から着信側の前記端末に接続するときに用いる前記第１のＰＳＴＮゲートウェイ装置のポート情報を取得する手段、発信側の前記端末の接続している前記ＩＰ変換装置のポート情報を前記加入者サーバを介して受信する手段、当該ＩＰ変換装置のポート情報を前記第１のＰＳＴＮゲートウェイ装置に送信し、前記第１のＰＳＴＮゲートウェイ装置のポート情報を当該ＩＰ変換装置に送信して、発信側および着信側の前記端末同士を接続する手段、を備えることを特徴とする。
【００２４】
また、本発明は、アプリケーションサーバであって、さらに、前記サービス提供装置から受信した前記サービス提供情報に基づいて、前記音声ガイダンス装置と前記端末とを接続するか否かを判定する手段、前記音声ガイダンス装置と前記端末とを接続すると判定した場合、前記サービス提供装置によって指示された前記音声ガイダンス装置から音声ガイダンスを送出することを示す情報を受信したとき、前記音声ガイダンス装置を接続する前記第２のＰＳＴＮゲートウェイ装置のポート情報を発信側の前記端末を収容する前記ＩＰ変換装置および着信側の前記端末に接続可能な前記第１のＰＳＴＮゲートウェイ装置に送信する手段、発信側の前記端末を収容する前記ＩＰ変換装置のポート情報を前記第２のＰＳＴＮゲートウェイ装置に送信し、着信側の前記端末に接続可能な前記第１のＰＳＴＮゲートウェイ装置のポート情報を前記第２のＰＳＴＮゲートウェイ装置に送信して、前記音声ガイダンス装置と発信側の前記端末との間および前記音声ガイダインス装置と着信側の前記端末との間を暫定接続する手段、を備えることを特徴とする。
【００２５】
また、本発明は、アプリケーションサーバであって、さらに、ＢＹＥメソッドを前記第２のＰＳＴＮゲートウェイ装置に送信して、前記音声ガイダンス装置と前記端末との間の暫定接続を解放する手段、着信側の前記端末の接続している前記第１のＰＳＴＮゲートウェイ装置のポート情報を前記ＩＰ変換装置に送信し、発信側の前記端末の接続している前記ＩＰ変換装置のポート情報を前記第１のＰＳＴＮゲートウェイ装置に送信して前記暫定接続を切り換え、発信側および着信側の前記端末同士を接続する手段、を備えることを特徴とする。
【００２６】
このような構成によれば、アプリケーションサーバは、接続対象同士のパス上に位置していなくても、他網のサービス制御装置から接続情報を用いて、既存ＰＳＴＮにおいて提供されている高度サービスと同様のサービスを提供しつつ、接続対象同士を接続する発着接続、音声ガイダンス装置と端末とを接続する暫定接続、および暫定接続を切り換えて端末同士を接続することができる。また、アプリケーションサーバは、サービス制御装置や音声ガイダンス装置に直接アクセスするので、アプリケーションサーバ以外の既存ＩＰ網の設備や既存のＰＳＴＮを構成する交換機を改造する必要はない。
【００２７】
また、本発明は、既設ＰＳＴＮが、ＩＰ網と、前記ＩＰ網および前記既設ＰＳＴＮとは別の他網と相互接続点によって接続され、前記ＩＰ網の端末を発信側、前記既設ＰＳＴＮの端末を着信側とし、前記他網に設置されている高度サービスを提供するサービス制御装置を用いて、前記サービス制御装置から指示されるサービス提供情報に基づいて前記既設ＰＳＴＮに設置されている交換機が前記高度サービスを提供するサービス提供システムであって、前記ＩＰ網が、発信側の前記端末、その端末の信号をＩＰ用の情報に変換するＩＰ変換装置、前記端末を前記ＩＰ変換装置を介して収容する加入者サーバ、前記加入者サーバと接続するアプリケーションサーバ、および前記既設ＰＳＴＮへの関門装置を示すＰＳＴＮゲートウェイ装置によって構成され、前記ＰＳＴＮゲートウェイ装置が、前記加入者サーバを介して前記アプリケーションサーバおよび前記発信側の端末と通信可能に接続され、前記アプリケーションサーバが、前記他網を識別する他網識別情報と、前記加入者サーバから受信するアクセス情報とを関連付けて記憶している記憶部を備え、発信側の前記端末の接続している前記ＩＰ変換装置のポート情報を前記加入者サーバを介して受信する手段、前記加入者サーバから前記アクセス情報を受信し、前記アクセス情報に含まれる発信側の前記端末の発番号と、当該ＩＰ変換装置のポート情報と、前記既設ＰＳＴＮに設置されている交換機が前記サービス制御装置にアクセスするときに用いるパラメータをＩＳＵＰ（Integrated Service digital network User Part）で記述した情報とを、前記高度サービスの提供を要求する制御指示要求として、前記既設ＰＳＴＮに設置されている交換機に送信する手段、前記既設ＰＳＴＮを構成する交換機から前記ＰＳＴＮゲートウェイ装置を介して、着信側の前記端末から発信側の前記端末への接続要求を受信した場合、受信した当該接続要求の通過した前記ＰＳＴＮゲートウェイ装置のポート情報を前記ＩＰ変換装置に送信する手段、を備え、前記既設ＰＳＴＮに設置されている交換機が、前記アプリケーションサーバから前記制御指示要求を受信する手段、当該制御指示要求をＩＮＡＰオペレーションを用いて当該他網識別情報に対応する他網に設置されている前記サービス制御装置へ送信する手段、当該サービス制御装置からＩＮＡＰオペレーションによって前記制御指示要求に対応するサービス提供情報を受信する手段、受信した当該サービス提供情報に基づいて、着信側の前記端末に接続を要求する接続要求を送信し、着信側の前記端末から発信側の前記端末への接続要求を受信したときに、前記アプリケーションサーバに向けて着信側の前記端末の接続要求を前記ＰＳＴＮゲートウェイ装置を介して送信する手段、を備え、発信側の前記端末と着信側の前記端末とを接続することを示す発着接続を行うことを特徴とする。
【００２８】
このような構成によれば、アプリケーションサーバは、既設ＰＳＴＮを構成する交換機に指示を送信して、その交換機にサービス制御装置および音声ガイダンス装置を制御させて、高度サービスを提供することができる。また、アプリケーションサーバは、交換機に指示する情報を、交換機が解釈できるようにＩＳＵＰ用に記述しているので、アプリケーションサーバ以外の既存ＩＰ網の設備や既存のＰＳＴＮを構成する交換機を改造する必要はない。
【発明の効果】
【００２９】
本発明によれば、既存のＰＳＴＮを構成する交換機を改造することなく、他網のＳＣＰやＳＲＰを利用して、既存の高度サービスと同様のサービスを、ＩＰ網において提供することができる。
【図面の簡単な説明】
【００３０】
【図１】従来の加入者交換機機能メニューサービスにおける動作例（加入者属性トリガの場合）を示す図である。
【図２】従来の加入者交換機機能メニューサービスにおける動作例（ダイヤル番号トリガの場合） を示す図である。
【図３】第１実施形態における構成例および動作例（加入者属性トリガの場合）を示す図である。
【図４】第１実施形態におけるＩＰ変換装置の構成例および機能例を示す図である。
【図５】第１実施形態における加入者サーバの構成例および機能例を示す図である。
【図６】第１実施形態におけるアプリケーションサーバの構成例および機能例を示す図である。
【図７】ＳＣＰ加入契約情報の一例を示す図である。
【図８】サービスＤＢの一例を示す図である。
【図９】ＳＣＰアドレスＤＢの一例を示す図である。
【図１０】第１実施形態におけるシーケンス例（その１）を示す図である。
【図１１】第１実施形態におけるシーケンス例（その２）を示す図である。
【図１２】第２実施形態における構成例および動作例（ダイヤル番号トリガの場合）を示す図である。
【図１３】第３実施形態における構成例および動作例（加入者属性トリガの場合）を示す図である。
【図１４】第３実施形態におけるアプリケーションサーバの構成例および機能例を示す図である。
【図１５】第３実施形態におけるシーケンス例（その１）を示す図である。
【図１６】第３実施形態におけるシーケンス例（その２）を示す図である。
【図１７】第３実施形態におけるシーケンス例（その３）を示す図である。
【図１８】第４実施形態における構成例および動作例（ダイヤル番号トリガの場合）を示す図である。
【発明を実施するための形態】
【００３１】
次に、本発明を実施するための形態（以降「本実施形態」と称す。）について、適宜図面を参照しながら詳細に説明する。本実施形態では、ＩＰ網に備えるＡＳ（アプリケーションサーバ）（アプリケーションサーバ）が既存ＰＳＴＮの交換機に指示を送信し、当該交換機にＳＣＰおよびＳＲＰを制御させて高度サービスを提供する第１実施形態および第２実施形態と、ＩＰ網に備えるＡＳが既存ＰＳＴＮのＳＣＰおよびＳＲＰを制御して高度サービスを提供する第３実施形態および第４実施形態とについて説明する。なお、第１実施形態および第３実施形態は、前記した加入者属性トリガのケースである。また、第２実施形態および第４実施形態は、前記したダイヤル番号トリガのケースである。
【００３２】
（第１実施形態）
第１実施形態のサービス提供システムにおける構成例および動作例（加入者属性トリガの場合）について、図３を用いて説明する。図３に示すように、第１実施形態では、従来技術として記載したＳＣＰ６（サービス制御装置）およびＳＲＰ７（音声ガイダンス装置）を備える他事業者網（他網）、着信者の端末８ｂの位置する既存ＰＳＴＮ、およびＳＣＰアクセス加入に登録済みのＳＣＰアクセス加入者の端末８ａの位置するＩＰ網が、相互接続点（図３の二重丸）で接続されているものとする。第１実施形態は、ＡＳ１が既存ＰＳＴＮのＺＣ（中継交換機）に指示を送信し、当該ＺＣにＳＣＰ６およびＳＲＰ７を制御させて高度サービスを提供するケースである。
【００３３】
まず、第１実施形態のネットワークの構成について説明する。
他事業者網は、少なくとも、ＳＣＰ６（サービス制御局）、ＳＲＰ７（ガイダンス装置）、およびＧＳ（関門交換機）を備えている。ＳＣＰ６は、高度サービスの機能メニューを備えている。ＳＲＰ７は、機能メニューに対応する音声ガイダンス情報を保持している。ＧＳは、相互接続点を介して、既存ＰＳＴＮのＩＧＳ（関門交換機）と接続している。
【００３４】
既存ＰＳＴＮは、少なくとも、ＺＣ（中継交換機）、ＩＧＳ（関門交換機）、ＧＣ（加入者交換機）によって構成される。ＧＣは、着信者の端末８ｂを収容する。ＩＧＳは、相互接続点を介して、他事業者網のＧＳと接続している。ＺＣは、相互接続点を介して、ＩＰ網のＰＳＴＮ−ＧＷ５（ＰＳＴＮゲートウェイ装置）と接続している。また、ＺＣは、共通線網を経由して他事業者網のＳＣＰ６とＩＮＡＰオペレーションの送受信を行う。端末８ｂは、例えば、ＰＳＴＮで用いられる電話機や電話機能を備えたパソコンである。なお、一般的に、ＳＣＰ６へのアクセスは、ＺＣの処理負荷を軽減するために、図１，２に示すように、ＧＣが行っている。しかし、図３では、説明を簡単にするために、ＺＣがＳＣＰ６へアクセスする場合を示している。
【００３５】
ＩＰ網は、少なくとも、ＡＳ１（アプリケーションサーバ）、加入者サーバ２、ＩＰ変換装置３、中継サーバ４、ＰＳＴＮ−ＧＷ５（ＰＳＴＮゲートウェイ装置）、端末８ａによって構成される。端末８ａは、例えば、ＰＳＴＮで用いられる電話機や電話機能を備えたパソコンである。なお、図３には、ネットワークを構成するサーバおよび装置を各１台ずつしか記載していないが、それぞれ２台以上であっても構わない。
【００３６】
ＩＰ変換装置３は、端末８ａの発信、すなわちオフフックまたは内線番号ダイヤル入力（０＋内線番号）による発信を検出する。そして、ＩＰ変換装置３は、検出した端末８ａからの発信に基づいて、端末８ａがＳＣＰアクセス加入か否かを判定する。ＩＰ変換装置３は、ＳＣＰアクセス加入と判定した場合には、着番号をＳＣＰアクセス加入であることを示す着番号情報（例えば、ＮＵＬＬで表した情報）に置き換えて、その着番号、発番号、および端末８ａを識別する端末識別情報等を格納したＩＮＶＩＴＥリクエストを生成し、加入者サーバ２へ送信する。
【００３７】
ＩＰ変換装置３の構成例および機能例を図４に示す。ＩＰ変換装置３は、処理部３１、通信部３２、および記憶部３３を備える。処理部３１は、コンピュータのＣＰＵとメインメモリとで構成され、記憶部３３に格納されているアプリケーションプログラムをメインメモリに展開して、パケット生成部３１１およびＳＣＰ登録判定部３１２の各部を具現化する。ＳＣＰ登録判定部３１２は、端末８ａの発番号を用いて、加入者ＤＢ３３１（後記）を参照し、端末８ａがＳＣＰアクセス加入か否かを判定する。具体的には、端末８ａから内線番号のダイヤル入力またはオフフックによる発信を検出したとき、加入者ＤＢ３３１を参照して、端末８ａの発番号にＳＣＰアクセス加入者であることを示すフラグが立てられている（ＳＣＰアクセス加入者として登録されている）か否かを判定する。加入者ＤＢ３３１に、端末８ａの発番号にＳＣＰアクセス加入者であることを示すフラグが立てられている（高度サービスの提供を受ける登録がある）場合には、ＳＣＰアクセス加入と判定する。そして、パケット生成部３１１は、ＳＣＰアクセス加入と判定された場合、着番号をＳＣＰアクセス加入であることを示す識別可能な着番号情報（例えば、ＮＵＬＬで表した情報）に置き換えるとともに、当該端末８ａの識別情報を付加してＩＮＶＩＴＥリクエスト（ＩＰパケット）を生成する。また、処理部３１は、通信部３２および記憶部３３の制御を司り、情報の送受を行う。通信部３２は、通信を制御する。記憶部３３は、ＳＣＰ登録判定部３１２によって参照される加入者ＤＢ３３１を記憶している。
【００３８】
ここで、加入者ＤＢ３３１の一例を図７に示す。図７に示すように、加入者ＤＢ３３１は、少なくとも加入者の端末の番号を示す発番号とＳＣＰアクセス加入者とを関連付けて記憶している。具体例として、ＳＣＰアクセス加入者の欄に、ＳＣＰアクセス加入を表すフラグ「１」が記憶されている場合には、ＳＣＰアクセス加入であることを表し、フラグ「１」が立てられていない場合には、ＳＣＰアクセス加入でないことを表す。なお、フラグは「１」に限られず、識別可能な記号であっても構わない。
【００３９】
図３に戻って、加入者サーバ２は、ＩＰ変換装置３から受信したＩＮＶＩＴＥリクエストに格納されている着番号が、ＳＣＰアクセス加入であることを示す着番号情報であるか否かを判定する。そして、加入者サーバ２は、ＳＣＰアクセス加入であると判定した場合、そのＩＮＶＩＴＥリクエストに格納されている発番号に紐付けられているＡＳ１のアクセス先をサービスＤＢ２３１（後記）から抽出して、その抽出したＡＳ１へＩＮＶＩＴＥリクエストを送信する。そのＩＮＶＩＴＥリクエストには、端末８ａの発番号やその端末８ａを接続するＩＰ変換装置３のポートを示す発ＩＤｐｏｒｔが格納される。また、加入者サーバ２は、パケットのルーチングを行う。
【００４０】
加入者サーバ２の構成例および機能例を図８に示す。加入者サーバ２は、処理部２１、通信部２２、および記憶部２３を備える。処理部２１は、コンピュータのＣＰＵとメインメモリとで構成され、記憶部２３に格納されているアプリケーションプログラムをメインメモリに展開して、ＳＣＰアクセス判定部２１１を具現化する。ＳＣＰアクセス判定部２１１は、ＩＰ変換措置３から受信したＩＮＶＩＴＥリクエストに格納されている着番号が、ＳＣＰアクセス加入であることを示す着番号情報であるか否かを判定する。また、ＳＣＰアクセス判定部２１１は、ＳＣＰアクセス加入であると判定した場合、そのＩＮＶＩＴＥリクエストに格納されている発番号を抽出し、当該発番号に紐付けられているＡＳ１のアクセス先をサービスＤＢ２３１（後記）から抽出し、当該アクセス先のＡＳ１へ、発番号や発ＩＤｐｏｒｔを格納したＩＮＶＩＴＥリクエストを送信する。また、処理部２１は、通信部２２および記憶部２３の制御を司り、情報の送受を行う。通信部２２は、通信を制御する。記憶部２３は、ＳＣＰアクセス判定部２１１によって参照されるサービスＤＢ２３１を記憶している。
【００４１】
ここで、サービスＤＢ２３１の一例を図８に示す。図８に示すように、サービスＤＢ２３１は、発番号とＡＳ１のアクセス先（ＡＳ）とを関連付けて記憶している。発番号は、端末８ａの電話番号である。アクセス先（ＡＳ）は、ＡＳ１に付されたＩＰアドレス等のＡＳ識別情報である。なお、サービスＤＢ２３１は、ＩＰ変換装置３に備えられていても構わない。
【００４２】
図３に戻って、中継サーバ４は、ＩＰ網内のパケットを中継する。
ＰＳＴＮ−ＧＷ５は、主にＩＰ網で用いられるプロトコル（ＳＩＰ）と既存ＰＳＴＮで用いられるプロトコル（ＩＳＵＰ：Integrated Service digital network User Part）とを変換し、相互に情報を伝達する。
【００４３】
ＡＳ１は、受信したＩＮＶＩＴＥリクエストからＳＣＰアクセス情報（加入者属性トリガの場合では発番号）および発ＩＤｐｏｒｔを抽出し、事業者ＤＢ１３１（後記）を参照して、ＳＣＰアクセス情報（アクセス情報）に紐付けられている他事業者識別番号（他網識別情報）を抽出する。なお、他事業者識別番号は、他事業者の他事業者網（他網）を識別する識別情報である。また、その他事業者識別番号によって識別される他事業者の他事業者網（他網）には、ＳＣＰアクセス情報に対応する接続制御指示（サービス提供情報）を送信するＳＣＰが備えられている。そして、ＡＳ１は、新たなＩＮＶＩＴＥリクエストを生成し、既設ＰＳＴＮのＺＣへ送信する。新たなＩＮＶＩＴＥリクエストには、発ＩＤｐｏｒｔ、他事業者識別番号、およびＩＳＵＰで用いられるＳＣＦ（Service Control Function）アクセス情報とＳＣＦアクセスのために必要なＩＳＵＰパラメータが格納される。また、ＩＳＵＰパラメータは、ＩＮＶＩＴＥリクエストの独自ヘッダに記述される。
【００４４】
ＡＳ１の構成例および機能例を図６に示す。ＡＳ１は、処理部１１、通信部１２、および記憶部１３を備える。処理部１１は、コンピュータのＣＰＵとメインメモリとで構成され、記憶部１３に格納されているアプリケーションプログラムをメインメモリに展開して、ＳＣＰアクセス情報設定部１１１を具現化する。ＳＣＰアクセス情報設定部１１１は、前記したように、受信したＩＮＶＩＴＥリクエストからＳＣＰアクセス情報（アクセス情報）を抽出し、事業者ＤＢ１３１（後記）を参照して、ＳＣＰアクセス情報に紐付けられている他事業者識別番号を抽出する。そして、ＳＣＰアクセス情報設定部１１１は、前記した新たなＩＮＶＩＴＥリクエストを生成し、加入者サーバ２を経由して、既設ＰＳＴＮのＺＣへ送信する。また、処理部１１は、通信部１２および記憶部１３の制御を司り、情報の送受を行う。通信部１２は、通信を制御する。記憶部１３は、ＳＣＰアクセス情報設定部１１１によって参照される事業者ＤＢ１３１を記憶している。
【００４５】
ここで、事業者ＤＢ１３１の一例について、図９を用いて説明する。図９に示すように、事業者ＤＢ１３１は、発番号および他事業者識別番号が関連付けられて記憶されている。
【００４６】
次に、図３に示す、第１実施形態のサービス提供システムにおける動作例（加入者属性トリガの場合）について説明する。
ステップＳ３１では、ＩＰ変換装置３が、ＳＣＰアクセス加入の登録済みの端末８ａによって発信された内線番号ダイヤル入力またはオフフックを検出する。そして、ＩＰ変換装置３は、検出した端末８ａからの発信に基づいて、端末８ａがＳＣＰアクセス加入か否かを判定する。ＩＰ変換装置３は、ＳＣＰアクセス加入と判定した場合には、着番号をＳＣＰアクセス加入であることを示す着番号情報（例えば、ＮＵＬＬで表した情報）に置き換えて、その着番号、発番号、および端末８ａを識別する端末識別情報等を格納したＩＮＶＩＴＥリクエストを生成し、加入者サーバ２へ送信する。
【００４７】
ステップＳ３２では、加入者サーバ２は、加入者サーバ２は、ＩＰ変換装置３から受信したＩＮＶＩＴＥリクエストに格納されている着番号が、ＳＣＰアクセス加入であることを示す着番号情報であるか否かを判定する。そして、加入者サーバ２は、ＳＣＰアクセス加入であると判定した場合、そのＩＮＶＩＴＥリクエストに格納されている発番号に対応するアクセス先（ＡＳ１）をサービスＤＢ２３１から抽出して、当該ＡＳ１へＩＮＶＩＴＥリクエストを送信する。
ステップＳ３３では、ＡＳ１は、受信したＩＮＶＩＴＥリクエストからＳＣＰアクセス情報（加入者属性トリガの場合では発番号）を抽出し、前記した新たなＩＮＶＩＴＥリクエスト（ＩＳＵＰ用のＩＮＶＩＴＥリクエスト）を生成し、ＰＳＴＮ側のＺＣを宛先として送信する。
【００４８】
ステップＳ３４では、ＰＳＴＮ−ＧＷ５は、受信したＩＮＶＩＴＥリクエストに格納されている情報を、ＳＩＰからＩＳＵＰに変換する。なお、ＩＳＵＰは、既存ＰＳＴＮにおいて、音声通信やデータ通信等の呼制御プロトコルとして使われている。
ステップＳ３５では、ＺＣは、ＰＳＴＮ−ＧＷ５経由で受信したＳＣＰアクセス情報をＰＳＴＮ内からのものとして扱い、ＳＣＰ６との間で、制御指示要求を行うＩＮＡＰオペレーション、およびその制御指示要求に対応する接続制御指示（サービス提供情報）を返信するＩＮＡＰオペレーションを送受信する。そして、ＳＣＰ６から接続制御指示を受信したＺＣは、その接続制御指示に基づいて、指定された接続先への接続、呼解放、イベント報告（話中、切断等）等の機能メニューを提供する。
【００４９】
次に、第１実施形態のサービス提供システムにおけるシーケンス例について、図１０、図１１を用いて説明する（適宜図３参照）。なお、図１０、図１１では、端末８ａ、ＩＰ変換装置３、中継サーバ４、ＩＧＳ、ＧＣを省略している。
ステップＳ４０１では、加入者サーバ２は、ＳＣＰアクセス加入者の端末８ａの発信を検出して、ＩＮＶＩＴＥリクエスト（ＳＤＰ：発ＩＤｐｏｒｔ）を生成し、ＡＳ１へ送信する。発ＩＤｐｏｒｔとは、ＩＰ変換装置３から送信されてくる端末８ａを識別する端末識別情報であって、例えば、端末８ａを接続しているＩＰ変換装置のポート情報である。このステップＳ４０１は、図３のステップＳ３２に相当する。
ステップＳ４０２では、ＡＳ１は、受信したＩＮＶＩＴＥリクエストを終端するために、１８３レスポンスを加入者サーバ２に返信する。
【００５０】
ステップＳ４０３では、ＡＳ１は、ＳＣＰアクセス情報を格納したＩＮＶＩＴＥリクエストを加入者サーバ２を経由して既存ＰＳＴＮ側のＺＣへ送信する。このステップＳ４０３は、図３のステップＳ３３に相当する。なお、ステップＳ４０３のＩＮＶＩＴＥリクエストは、既存ＰＳＴＮとの相互接続のために配置されているＰＳＴＮ−ＧＷ５に到達する。
ステップＳ４０４では、ＰＳＴＮ−ＧＷ５は、受信したＩＮＶＩＴＥリクエストに対してＳＩＰ−ＩＳＵＰ変換を行って、ＳＣＰアクセス情報を含むＩＡＭを生成し、その生成したＩＡＭをＺＣに送信する。なお、ＩＡＭとは、電話番号のダイヤル入力を検出した交換機から送出される発番号や着番号等を格納した信号である。このステップＳ４０４は、図３のステップＳ３４に相当する。
【００５１】
ステップＳ４０５では、ＺＣは、ＩＡＭを受信した後、ＳＣＰアクセス情報に基づく制御指示要求を行うＩＮＡＰオペレーション（Ｂ：［I:Initial DP］）をＳＣＰ６に送信する。なお、図１０中のＢ：［］は、Ｂｅｇｉｎ（開始）を表す。
ステップＳ４０６では、ＳＣＰ６は、ステップＳ４０５の制御指示要求に対応する接続制御指示を格納したＩＮＡＰオペレーションを返信する。なお、図１０中のＣ：［］は、Ｃｏｎｔｉｎｕｅ（継続）を表す。また、（ＳＣＩ，ＲＮＣ，ＲＲＢ，ＣＯＮ）は、ＳＣＰ６からの指示に従って、要求された課金情報の設定、要求された課金イベントの設定、要求されたイベントの設定、指示された接続先への接続を行うことを意味する。このステップＳ４０５〜Ｓ４０６は、図３のステップＳ３５に相当する。
【００５２】
ステップＳ４０７では、ＺＣがＰＳＴＮ−ＧＷ５へ、ステップＳ４０４のＩＡＭに対応する応答ＡＣＭを返信する。
ステップＳ４０８では、ＰＳＴＮ−ＧＷ５がＡＳ１へ、ステップＳ４０３のＩＮＶＩＴＥリクエストを終端する１８３レスポンスを返信する。
【００５３】
ステップＳ４０９では、ＺＣは、端末８ｂに接続要求を通知するために、ＩＡＭをＧＣに送信する。
ステップＳ４１０では、ＧＣは、ステップＳ４０９のＩＡＭに対応する応答ＡＣＭをＺＣに返信する。
ステップＳ４１１では、ＺＣは、課金イベント通知を示すＥＮＣをＳＣＰ６へ送信する。
【００５４】
ステップＳ４１２では、ＺＣは、端末８ｂが応答したことを示すＡＮＭを受信する。
ステップＳ４１３では、ＺＣは、ステップＳ４１２のＡＮＭを検出したことを示すＥＲＢをＳＣＰ６に送信する。
ステップＳ４１４では、ＺＣは、ＡＮＭをＡＳ１に向けて送信する。なお、ステップＳ４１４のＡＮＭは、ＰＳＴＮ−ＧＷ５に到達する。
【００５５】
ステップＳ４１５では、ＰＳＴＮ−ＧＷ５は、ＡＮＭを受信して、ステップＳ４０３のＩＮＶＩＴＥリクエストに対応する応答２００レスポンスをＡＳ１へ送信する。なお、ステップＳ４１５の２００レスポンスには、ＳＤＰとして、端末８ｂに接続するためのＰＳＴＮ−ＧＷのポート情報がＰＳＴＮ−ＧＷｐｏｒｔとして格納される。
ステップＳ４１６では、ＡＳ１は、ステップＳ４１５の２００レスポンスに対応する応答ＡＣＫをＰＳＴＮ−ＧＷ５に返信する。
ステップＳ４１７では、ＡＳ１は、ステップＳ４０１のＩＮＶＩＴＥリクエストに対応する応答２００レスポンスを加入者サーバ２を介してＩＰ変換装置３へ送信する。なお、ステップＳ４１７の２００レスポンスには、ＳＤＰとして、ＰＳＴＮ−ＧＷｐｏｒｔが格納されている。
ステップＳ４１８では、加入者サーバ２は、ステップＳ４１７の２００レスポンスに対応する応答ＡＣＫをＡＳ１に返信する。
そして、端末８ａと端末８ｂとの間には、高度サービスを用いて、音声パスが確立される。
【００５６】
図１１に示すステップＳ５０１〜Ｓ５１０は、端末８ａと端末８ｂとの間の高度サービスを終了するシーケンスの一例を示している。
ステップＳ５０１では、端末８ａがオンフックすると、ＩＰ変換装置３を介してそれを検知した加入者サーバ２は、ＢＹＥリクエストをＡＳ１へ送信する。
ステップＳ５０２では、ＡＳ１は、２００レスポンスを加入者サーバ２へ返信する。
ステップＳ５０３では、ＡＳ１は、ＰＳＴＮ−ＧＷ５に向けて、ＢＹＥリクエストを送信する。
ステップＳ５０４では、ＰＳＴＮ−ＧＷ５は、２００レスポンスをＡＳ１へ返信する。
【００５７】
ステップ５０５では、ＰＳＴＮ−ＧＷ５は、端末８ａがオンフックしたことを示すＲＥＬをＺＣへ送信する。
ステップＳ５０６では、ＺＣはステップＳ５０５のＲＥＬに対応する応答ＲＬＣをＰＳＴＮ−ＧＷ５へ返信する。
ステップＳ５０７では、ＺＣは、呼関連のイベント（回線解放）を検出したことを示すＥＲＢをＳＣＰ６へ送信する。
ステップＳ５０８では、ＳＣＰ６は、ステップＳ５０７のＥＲＢを受信したことおよび終了を示すＥ：［］（End）をＺＣへ返信する。
ステップＳ５０９では、ＺＣは、ＲＥＬをＧＣへ送信する。
ステップＳ５１０では、ＧＣは、ステップＳ５０９に対応する応答ＲＬＣをＺＣに返信する。
【００５８】
以上、第１実施形態では、ＡＳ１から高度サービスの指示（前記したＩＳＵＰ用のＩＮＶＩＴＥリクエスト）が、既設ＰＳＴＮのＺＣに送信され、当該ＺＣがＡＳ１からの高度サービスの指示に対応する接続制御指示をＳＣＰ６から受信して機能することにより、高度サービスを実現することができる。したがって、ＡＳ１以外の既存ＩＰ網の設備や既設ＰＳＴＮの交換機を改造しなくてもよい。なお、第１実施形態において、ＳＲＰ７から音声ガイダンスを端末８に流す場合には、従来技術の通り、ＺＣが発着暫定接続によってＳＲＰ７と端末８との間に暫定パスを張って音声ガイダンスを流し、その後、暫定パスを切り換えて音声パスを確立する。
【００５９】
（第２実施形態）
第２実施形態のサービス提供システムにおける構成例および動作例（ダイヤル番号トリガの場合）について、図１２を用いて説明する（適宜図３参照）。第２実施形態におけるネットワーク構成は、第１実施形態におけるネットワーク構成と同様であるので、説明を省略する。なお、第２実施形態における動作は、ステップＳ３１ａ，Ｓ３２ａ，Ｓ３３ａにおいて第１実施形態における動作と異なる。
【００６０】
ステップＳ３１ａでは、端末８ｃからＳＣＰアクセス用番号（高度サービス用の電話番号）（例えば、０ＡＢ０＋Ｄ〜Ｊ等）がダイヤル入力された場合、ＩＰ変換装置３は、当該ＳＣＰアクセス用番号を検出して、その検出したＳＣＰアクセス用番号を格納したＩＮＶＩＴＥリクエストを生成し、加入者サーバ２へ送信する。
ステップＳ３２ａでは、加入者サーバ２は、受信したＳＣＰアクセス用番号に基づいてＳＣＰアクセスであることを判定し、ＳＣＰアクセス用番号に対応する高度サービスを提供するＡＳ１へＩＮＶＩＴＥリクエストを送信する。
ステップＳ３３ａでは、ＡＳ１は、受信したＩＮＶＩＴＥリクエストからＳＣＰアクセス情報（ダイヤル番号トリガの場合ではＳＣＰアクセス用番号）を抽出し、前記した新たなＩＮＶＩＴＥリクエスト（ＩＳＵＰ用のＩＮＶＩＴＥリクエスト）を生成し、ＰＳＴＮ側のＺＣを宛先として送信する。
そして、ステップＳ３３ａ以降の処理であるステップＳ３４〜Ｓ３５は、第１実施形態におけるステップＳ３４〜Ｓ３５の処理と同じであるので、説明を省略する。
なお、ステップＳ３１ａにおける送信先の加入者サーバ２は、ＳＣＰアクセス加入者を収容する加入者サーバであるものとする。また、ステップＳ３２ａにおける加入者サーバ２は、ＳＣＰアクセス用番号を識別できるように、ＳＣＰアクセス用番号の一部または全部を記憶し、そのＳＣＰアクセス用番号の一部または全部とアクセス先のＡＳ１ａとを関連付けて記憶している記憶部（不図示）を備えているものとする。また、ステップＳ３３ａにおけるＡＳ１は、ＳＣＰアクセス用番号と他事業者識別番号とを関連付けて記憶している記憶部（不図示）を備えているものとする。
なお、第２実施形態におけるシーケンス例は、第１実施形態で示した図１０，１１のシーケンス例と同様であるので、説明を省略する。
【００６１】
以上、第２実施形態では、第１実施形態と同様に、ＡＳ１以外の既存ＩＰ網の設備や既設ＰＳＴＮの交換機を改造することなく、ＡＳ１から高度サービスの指示（前記したＩＳＵＰ用のＩＮＶＩＴＥリクエスト）が、既設ＰＳＴＮのＺＣに送信され、当該ＺＣがＡＳ１からの高度サービスの指示に対応する接続制御指示をＳＣＰ６から受信して機能することにより、高度サービスを実現することができる。
【００６２】
（第３実施形態）
第３実施形態のサービス提供システムにおける構成例および動作例（加入者属性トリガの場合）について、図１３を用いて説明する。図１３に示すように、第３実施形態では、従来技術として記載したＳＣＰ６（サービス制御装置）およびＳＲＰ７（音声ガイダンス装置）を備える他事業者網（他網）、着信者の端末８ｂの存在する既存ＰＳＴＮ、およびＳＣＰアクセス加入者の端末８ａの存在するＩＰ網が、相互接続点（図１３の二重丸）で接続されているものとする。第３実施形態は、ＡＳ１ａ（アプリケーションサーバ）が、ＳＣＰ６から高度サービスの接続制御指示（サービス提供情報）を取得して、取得した接続制御指示に基づいて高度サービスを実行するケースである。
【００６３】
他事業者網は、少なくとも、ＳＣＰ６、ＳＲＰ７、およびＧＳ（関門交換機）を備えている。ＳＣＰ６は、高度サービスの機能メニューを指示する機能を備えている。ＳＲＰ７は、ガイダンスを利用者に向けて出力する機能を備えている。ＧＳは、相互接続点を介して、既存ＰＳＴＮのＩＧＳ（関門交換機）と接続している。
既存ＰＳＴＮは、少なくとも、ＺＣ（中継交換機）、ＩＧＳ（関門交換機）、ＧＣ（加入者交換機）によって構成される。ＧＣは、加入者の端末８ｂを収容する。ＩＧＳは、相互接続点を介して、他事業者網のＧＳと接続している。ＺＣは、相互接続点を介して、ＩＰ網のＰＳＴＮ−ＧＷ５（ＰＳＴＮゲートウェイ装置）と接続している。端末８ｂは、例えば、ＰＳＴＮで用いられる電話機や電話機能を備えたパソコンである。
【００６４】
ＩＰ網は、少なくとも、ＡＳ１ａ（アプリケーションサーバ）、加入者サーバ２、ＩＰ変換装置３、中継サーバ４、ＰＳＴＮ−ＧＷ（ＩＧＳ）５ａ（第２のＰＳＴＮゲートウェイ装置）、ＰＳＴＮ−ＧＷ５ｂ（第１のＰＳＴＮゲートウェイ装置）、端末８ａによって構成される。加入者サーバ２、ＩＰ変換装置３、中継サーバ４、端末８ａは、第１実施形態と同様であるので、説明を省略する。第３実施形態では、図１３に示すように、ＡＳ１ａは、相互接続点を介して、ＳＣＰ６とＩＮＡＰによって直接通信可能に接続される。また、ＰＳＴＮ−ＧＷ（ＩＧＳ）５ａは、ＩＧＳ機能を備えるＰＳＴＮ−ＧＷを表していて、他事業者網のＧＳと、相互接続点を介して通信可能に接続される。なお、図１３には、ネットワークを構成するサーバおよび装置を各１台ずつしか記載していないが、それぞれ２台以上であっても構わない。また、ＰＳＴＮ−ＧＷ５ｂは第１実施形態のＰＳＴＮ−ＧＷ５と同様であるが、ＰＳＴＮ−ＧＷ５ｂの代わりに、ＰＳＴＮ−ＧＷ（ＩＧＳ）５ａと同様の機能を備えたものを用いても構わない。
【００６５】
図１３に示す構成において、既存ＰＳＴＮで実現していた発着暫定接続（以降、暫定接続と称す。）を容易に実現できないという問題がある。この問題の理由を以下に説明する。既存ＰＳＴＮでは、暫定接続は、発側のＧＣによって、通話開始時に発信者と着信者双方に音声ガイダンスを聞かせるためにＳＲＰ７と端末８ａ，８ｂとを接続していた。そこで、発側のＧＣは、音声ガイダンスが終了した後に自身の交換機能によって、容易に暫定接続を通話のための接続に切り換えることができた。しかしながら、図１３に示す構成においては、ＡＳ１が暫定接続や通話のための接続によって形成されるパスとは無関係の位置にあるため、発側のＧＣとは全く異なる手順を用いる必要がある。
そこで、ＡＳ１ａは、（１）発着通信、発信者用の音声ガイダンス装置への通信、および着信者用の音声ガイダンス装置への通信の独立した３つの通信を一元的に管理する機能、（２）発信者および着信者それぞれの音声パスを適切に切り換える機能、を備えるように構成する。
【００６６】
ＡＳ１ａの構成例および機能例を図１４に示す。ＡＳ１ａは、処理部１１ａ、通信部１２、および記憶部１３を備える。処理部１１ａは、コンピュータのＣＰＵとメインメモリとで構成され、記憶部１３に格納されているアプリケーションプログラムをメインメモリに展開して、ＳＣＰアクセス情報設定部１１１、ＩＮＡＰオペレーション設定部１１２、発着接続設定部１１３、暫定接続設定部１１４、および接続切換設定部１１５を具現化する。
【００６７】
ＳＣＰアクセス情報設定部１１１は、図６において説明したものと同様であるので、説明を省略する。ＩＮＡＰオペレーション設定部１１２は、受信したＩＮＶＩＴＥリクエストに含まれるＳＣＰアクセス情報（加入者属性トリガの場合では発番号）に基づいて、ＳＣＰ６に制御指示要求のＩＮＡＰオペレーションを送信する。発着接続設定部１１３は、発側の端末８ａと着側の端末８ｂとを接続制御し、音声パスを確立する。暫定接続設定部１１４は、ＳＲＰ７から音声ガイダンスを端末８に送出するために、ＳＲＰ７と発側の端末８ａとを接続するとともに、ＳＲＰ７と着側の端末８ｂとを接続する制御を行い、暫定パスを確立する。接続切換設定部１１５は、音声ガイダンスを送出するために用いられた暫定接続を、音声ガイダンス終了後に発着接続に切り換える制御を行う。
【００６８】
また、処理部１１は、通信部１２および記憶部１３の制御を司り、情報の送受を行う。通信部１２は、通信を制御する。記憶部１３は、ＳＣＰアクセス情報設定部１１１によって参照される事業者ＤＢ１３１を記憶している。なお、事業者ＤＢ１３１の一例は、図８に示したものと同じであるので、説明を省略する。
【００６９】
次に、図１３に示す、第３実施形態のサービス提供システムにおける動作例（加入者属性トリガの場合）について説明する。
ステップＳ６１では、ＩＰ変換装置３が、ＳＣＰアクセス加入の登録済みの端末８ａによって発信された内線番号ダイヤル入力またはオフフックを検出する。そして、ＩＰ変換装置３は、検出した端末８ａからの発信に基づいて、端末８ａがＳＣＰアクセス加入か否かを判定する。ＩＰ変換装置３は、ＳＣＰアクセス加入と判定した場合には、着番号をＳＣＰアクセス加入であることを示す着番号情報（例えば、ＮＵＬＬで表した情報）に置き換えて、その着番号、発番号、および端末８ａを識別する端末識別情報等を格納したＩＮＶＩＴＥリクエストを生成し、加入者サーバ２へ送信する。
【００７０】
ステップＳ６２では、加入者サーバ２は、加入者サーバ２は、ＩＰ変換装置３から受信したＩＮＶＩＴＥリクエストに格納されている着番号が、ＳＣＰアクセス加入であることを示す着番号情報であるか否かを判定する。そして、加入者サーバ２は、ＳＣＰアクセス加入であると判定した場合、そのＩＮＶＩＴＥリクエストに格納されている発番号に対応するアクセス先（ＡＳ１）をサービスＤＢ２３１（図５参照）から抽出して、当該ＡＳ１ａへＩＮＶＩＴＥリクエストを送信する。
【００７１】
ステップＳ６３では、ＡＳ１ａのＩＮＡＰオペレーション設定部１１２は、受信したＩＮＶＩＴＥリクエストからＳＣＰアクセス情報（加入者属性トリガの場合では発番号）を抽出し、当該ＳＣＰアクセス情報（アクセス情報）を用いて、事業者ＤＢ１３１を参照して、ＳＣＰアクセス情報に紐付けられている他事業者識別番号を抽出する。そして、その他事業者識別番号によって識別される他事業者の他事業者網（他網）に備えられているＳＣＰ６に制御指示要求のＩＮＡＰオペレーションを送信する。
ステップＳ６４では、ＳＣＰ６は、ＡＳ１ａから受信した制御指示要求に応じた接続制御指示（サービス提供情報）を返信するＩＮＡＰオペレーションをＡＳ１ａに送信する。
【００７２】
ステップＳ６５では、ＡＳ１ａの暫定接続設定部１１４は、接続制御指示に基づいて、ＳＲＰ７へ暫定接続する制御を行い、暫定パスを確立する。なお、暫定接続設定部１１４は、接続制御指示に基づいて、ＳＲＰ７と端末８ａ，８ｂとを暫定接続するか否かの判定を行って、暫定接続すると判定した場合には、暫定接続の制御を行う。
ステップＳ６６では、暫定接続によって暫定パスが確立した場合、ＳＲＰ７は、暫定パスで音声ガイダンスを端末８ａ，８ｂに送出する。
ステップＳ６７では、ＡＳ１ａの接続切換設定部１１５は、暫定パスを解放し、ＵＰＤＡＴＥメソッドによりパスを切り換えて、端末８ａ（発側）と端末８ｂ（着側）とを接続する。
このようにして、ＡＳ１ａは、指定された接続先への接続、呼解放、イベント報告（話中、切断等）等の高度サービスの機能メニューを提供する。
【００７３】
次に、第３実施形態のサービス提供システムにおけるシーケンス例について、図１５〜図１７を用いて説明する（適宜図１３参照）。なお、図１５〜図１７では、端末８ａ、ＩＰ変換装置３、中継サーバ４、ＩＧＳ、ＧＣ、およびＧＳを省略している。また、ＰＳＴＮ−ＧＷ５は、５ａおよび５ｂのいずれかを表しており、「（５ｂ）」と表記している箇所は、ＰＳＴＮ−ＧＷ５ｂを表し、それ以外は、ＰＳＴＮ−ＧＷ（ＩＧＳ）５ａを表すものとする。
【００７４】
ステップＳ７０１では、加入者サーバ２がＡＳ１ａにＩＮＶＩＴＥリクエストを送信する。例えば、そのＩＮＶＩＴＥリクエストには、Ｆｒｏｍヘッダには端末８ａの発番号を示す発ＩＤ、Ｔｏヘッダにはサービス番号、ＳＤＰには発ＩＤｐｏｒｔが格納される。サービス番号は、加入者属性トリガの場合は、内線番号または着番号をＳＣＰアクセス加入であることを示す着番号情報（例えば、ＮＵＬＬで表した情報）である。このステップＳ７０１は、図１３のステップＳ６２に相当する。
【００７５】
ステップＳ７０２では、ＡＳ１ａのＩＮＡＰオペレーション設定部１１２は、ＳＣＰ６に、制御指示要求であるＩＮＡＰオペレーション（Initial DP）を送信する。具体的には、ＡＳ１ａは、受信したＩＮＶＩＴＥリクエストからＳＣＰアクセス情報（加入者属性トリガの場合では発番号）を抽出し、当該ＳＣＰアクセス情報を用いて、事業者ＤＢ１３１を参照して、ＳＣＰアクセス情報に紐付けられている他事業者識別番号を抽出する。そして、その他事業者識別番号によって識別される他事業者の他事業者網（他網）に備えられているＳＣＰ６に制御指示要求のＩＮＡＰオペレーション（Ｂ：［I:Initial DP］）を送信する。このステップＳ７０２は、図１３のステップＳ６３に相当する。
【００７６】
ステップＳ７０３では、ＳＣＰ６は、ステップＳ７０２の制御指示要求に対応する接続制御指示であるＩＮＡＰオペレーションをＡＳ１ａに返信する。なお、図１５中の（ＩＴＣ，ＳＣＩ，ＲＮＣ，ＲＲＢ，ＣＯＮ）は、ＳＣＰ６からの指示に従い、複数の暫定接続の捕捉、要求された課金情報の設定、要求された課金イベントの設定、要求されたイベントの設定、指示された接続先への接続を行うことを意味する。このステップＳ７０３は、図１３のステップＳ６４に相当する。
ステップＳ７０４では、ＡＳ１ａの発着接続設定部１１３は、ステップＳ７０１のＩＮＶＩＴＥリクエストを終端する１８３レスポンスを加入者サーバ２に返信する。この際、１８３レスポンスには、ＡＳ１ａの無音ポートの情報が格納される。ここで、無音ポートとは、ＡＳ１ａが情報を送受信するときに用いるポートを識別する識別情報である。
【００７７】
ステップＳ７０５では、ＡＳ１ａの暫定接続設定部１１４は、ＳＲＰ７の音声ガイダンス装置Ｘへ暫定接続するために、ＩＮＶＩＴＥリクエストを加入者サーバ２やＩＳＴＮ−ＧＷ（ＩＧＳ）５ａを経由して他事業者のＳＲＰ７へ送信する。そのＩＮＶＩＴＥリクエストには、ＦｒｏｍヘッダにはＡＳ１ａのＩＰアドレス情報、ＴｏヘッダにはＳＲＰ７の音声ガイダンス装置Ｘのアドレス情報、ＳＤＰには無音ポート、相関ＩＤ、ｓｃｆＩＤ、呼識別のための情報が格納される。相関ＩＤは、ステップＳ７０３のＩＴＣの中に格納されている呼を識別する情報である。ｓｃｆＩＤは、ＳＲＰ７が送信すべきＳＣＰ６の番号であり、後記するステップＳ７０６やステップＳ７１０等の直後の破線矢印に示す過程において、どの番号のＳＣＰ６に送信すべきかを区別するために用いられる。なお、ステップＳ７０５のＩＮＶＩＴＥリクエストは、他事業者網との相互接続のために配置されているＰＳＴＮ−ＧＷ（ＩＧＳ）５ａに到達する。
【００７８】
ステップＳ７０６では、ＰＳＴＮ−ＧＷ（ＩＧＳ）５ａは、ＳＩＰ−ＩＳＵＰ変換を行って、ＩＡＭをＧＳを経由してＳＲＰ７の音声ガイダンス装置Ｘに送信する。ＩＡＭとは、電話番号のダイヤル入力を検出した交換機から送出される発番号や着番号等を格納した信号である。また、破線矢印で示したように、ＩＡＭを受信したＳＲＰ７はＳＣＰ６にＩＡＭを受信したことを通知する。
ステップＳ７０７では、ＳＲＰ７は、ステップＳ７０６のＩＡＭに対応する応答ＡＣＭをＰＳＴＮ−ＧＷ（ＩＧＳ）５ａに返信する。
【００７９】
ステップＳ７０８では、ＰＳＴＮ−ＧＷ（ＩＧＳ）５ａは、ステップＳ７０５のＩＮＶＩＴＥリクエストを終端する１８３レスポンスをＡＳ１ａに返信する。この１８３レスポンスのＳＤＰには、ＳＲＰ７の音声ガイダンス装置Ｘと接続するために用いられるＰＳＴＮ−ＧＷ（ＩＧＳ）５ａのポートの情報を示すＰＳＴＮ−ＧＷｐｏｒｔ音声ガイダンス装置Ｘが格納される。
このようにして、ステップＳ７０５〜Ｓ７０８によって、ＳＲＰ７の音声ガイダンス装置ＸとＡＳ１ａとの間に暫定パスＸが設定される。
【００８０】
ステップＳ７０９では、ＡＳ１ａの暫定接続設定部１１４は、ＳＲＰ７の音声ガイダンス装置Ｙへ暫定接続するために、ＩＮＶＩＴＥリクエストを加入者サーバ２やＩＳＴＮ−ＧＷ（ＩＧＳ）５ａを経由して他事業者のＳＲＰ７へ送信する。そのＩＮＶＩＴＥリクエストには、ＦｒｏｍヘッダにはＡＳ１ａのＩＰアドレス情報、ＴｏヘッダにはＳＲＰ７の音声ガイダンス装置Ｙのアドレス情報、ＳＤＰには無音ポート、相関ＩＤ、ｓｃｆＩＤ、呼識別のための情報が格納される。なお、ステップＳ７０９のＩＮＶＩＴＥリクエストは、他事業者網との相互接続のために配置されているＰＳＴＮ−ＧＷ（ＩＧＳ）５ａに到達する。
【００８１】
ステップＳ７１０では、ＰＳＴＮ−ＧＷ（ＩＧＳ）５ａは、ＳＩＰ−ＩＳＵＰ変換を行って、ＩＡＭをＧＳを経由してＳＲＰ７の音声ガイダンス装置Ｙに送信する。また、破線矢印で示したように、ＩＡＭを受信したＳＲＰ７はＳＣＰ６にＩＡＭを受信したことを通知する。
ステップＳ７１１では、ＳＲＰ７は、ステップＳ７１０のＩＡＭに対応する応答ＡＣＭをＰＳＴＮ−ＧＷ（ＩＧＳ）５ａに返信する。
【００８２】
ステップＳ７１２では、ＰＳＴＮ−ＧＷ（ＩＧＳ）５ａは、ステップＳ７０９のＩＮＶＩＴＥリクエストを終端する１８３レスポンスをＡＳ１ａに返信する。この１８３レスポンスのＳＤＰには、ＳＲＰ７の音声ガイダンス装置Ｙと接続するために用いられるＰＳＴＮ−ＧＷ（ＩＧＳ）５ａのポートの情報を示すＰＳＴＮ−ＧＷｐｏｒｔ音声ガイダンス装置Ｙが格納される。
このようにして、ステップＳ７０９〜Ｓ７１２によって、ＳＲＰ７の音声ガイダンス装置ＹとＡＳ１ａとの間に暫定パスＹが設定される。
【００８３】
次に、ステップＳ７１３では、ＡＳ１ａは、ＩＮＦＯ／ＮＯＴＩＦＹ（ＳＤＰ：ＳＣＩ情報）を加入者サーバ２に送信する。ＳＣＩ情報とは、課金に関する情報の送信を意味する。
ステップＳ７１４では、ＡＳ１ａの発着接続設定部１１３は、着側の端末８ｂへの接続を要求するＩＮＶＩＴＥリクエストを加入者サーバ２やＩＳＴＮ−ＧＷ５ｂを経由して既設ＰＳＴＮのＧＣへ送信する。そのＩＮＶＩＴＥリクエストには、ＦｒｏｍヘッダにはＡＳ１ａのＩＰアドレス情報、Ｔｏヘッダにはルーチング対地としてＧＣ、ＳＤＰには無音ポート、相関ＩＤ、ｓｃｆＩＤ、呼識別のための情報が格納される。なお、ステップＳ７０５のＩＮＶＩＴＥリクエストは、既存ＰＳＴＮとの相互接続のために配置されているＰＳＴＮ−ＧＷ５ｂに到達する。
【００８４】
ステップＳ７１５では、ＰＳＴＮ−ＧＷ５ｂは、ＳＩＰ−ＩＳＵＰ変換を行って、ＩＡＭをＧＣに送信する。
ステップＳ７１６では、ＧＣは、ステップＳ７１５のＩＡＭに対応する応答ＡＣＭをＰＳＴＮ−ＧＷ５ｂに返信する。
ステップＳ７１７では、ＰＳＴＮ−ＧＷ５ｂは、ステップＳ７１４のＩＮＶＩＴＥリクエストを終端する１８３レスポンスをＡＳ１ａに返信する。この１８３レスポンスのＳＤＰには、着側の端末８ｂを収容する既設ＰＳＴＮのＧＣと接続するためのポートの情報を示すＰＳＴＮ−ＧＷｐｏｒｔＧＣ、および課金イベント特有情報が格納される。
このようにして、ステップＳ７１４〜Ｓ７１７によって、着側の端末８ｂとＡＳ１ａとの間の着側パスが形成される。
ステップＳ７１８では、ＡＳ１ａのＩＮＡＰオペレーション設定部１１２は、課金イベント通知を示すＥＮＣや課金イベント特有情報をＳＣＰ６に送信する。
【００８５】
図１６に移って、ステップＳ８０１では、端末８ｂが応答したことを示すＡＮＭがＰＳＴＮ−ＧＷ５ｂによって受信される。
ステップＳ８０２では、ＰＳＴＮ−ＧＷ５ｂは、ステップＳ８０１のＡＮＭを受信して、ステップＳ７１４（図１５参照）のＩＮＶＩＴＥリクエストに対応する応答２００レスポンスをＡＳ１へ送信する。
ステップＳ８０３では、ＡＳ１の発着接続設定部１１３は、ステップＳ８０２の２００レスポンスに対応する応答ＡＣＫをＰＳＴＮ−ＧＷ５ｂに返信する。
ステップＳ８０４では、ＡＳ１ａのＩＮＡＰオペレーション設定部１１２は、呼関連イベントを検出したことを示すＥＲＢをＳＣＰ６へ送信する。
【００８６】
ステップＳ８０５では、ＡＳ１ａの発着接続設定部１１３は、ステップＳ８０２の２００レスポンスを受信して、ステップＳ７０１（図１５参照）のＩＮＶＩＴＥリクエストに対応する応答２００レスポンスを加入者サーバ２へ送信する。
ステップＳ８０６では、ＡＳ１ａは、加入者サーバ２から、ステップＳ８０５の２００レスポンスに対応する応答ＡＣＫを受信する。
【００８７】
ステップＳ８０７では、ＳＣＰ６は、レグ（論理接続）の移動および呼セグメントの統合を示す（ＭＬ，ＭＣ）を格納したＩＮＡＰオペレーションを、ＡＳ１ａに送信する。
ステップＳ８０８では、ＳＣＰ６からの指示（破線矢印）を受信したＳＲＰ７の音声ガイダンス装置Ｘが、音声ガイダンスを送出することを示すＡＮＭをＰＳＴＮ−ＧＷ（ＩＧＳ）５ａに向けて送信する。
ステップＳ８０９では、ＰＳＴＮ−ＧＷ（ＩＧＳ）５ａは、ステップＳ８０８のＡＮＭを受信して、ステップＳ７０５（図１５参照）のＩＮＶＩＴＥリクエストに対応する応答２００レスポンスをＡＳ１ａへ送信する。
ステップＳ８１０では、ＡＳ１ａは、ステップＳ８０９の２００レスポンスに対応する応答ＡＣＫを、ＰＳＴＮ−ＧＷ（ＩＧＳ）５ａに返信する。
【００８８】
ステップＳ８１１では、ＡＳ１ａの暫定接続設定部１１４は、ＵＰＤＡＴＥメソッド（ＳＤＰ：ＰＳＴＮ−ＧＷｐｏｒｔ音声ガイダンス装置Ｘ）を加入者サーバ２を介してＩＰ変換装置３へ送信する。
ステップＳ８１２では、ＡＳ１ａの暫定接続設定部１１４は、ＵＰＤＡＴＥメソッド（ＳＤＰ：発ＩＤｐｏｒｔ）をＰＳＴＮ−ＧＷ（ＩＧＳ）５ａへ送信する。
このように、ステップＳ８０８〜Ｓ８１２の処理によって、発側暫定パスが確立し、ステップＳ８１３に示すように、ＳＲＰ７の音声ガイダンス装置Ｘから発側の端末８ａに、音声ガイダンスを流すことができる。
【００８９】
次に、ステップＳ８１４〜Ｓ８１８の処理は、着側暫定パスの確立を行うものである。
まず、ステップＳ８１４では、ＳＣＰ６から指示（破線矢印）を受信したＳＲＰ７の音声ガイダンス装置Ｙが、音声ガイダンスを送出することを示すＡＮＭをＰＳＴＮ−ＧＷ（ＩＧＳ）５ａに向けて送信する。
ステップＳ８１５では、ＰＳＴＮ−ＧＷ（ＩＧＳ）５ａは、ステップＳ８１４のＡＮＭを受信して、ステップＳ７０９（図１５参照）のＩＮＶＩＴＥリクエストに対応する応答２００レスポンスをＡＳ１ａへ送信する。
ステップＳ８１６では、ＡＳ１ａは、ステップＳ８０９の２００レスポンスに対応する応答ＡＣＫを、ＰＳＴＮ−ＧＷ（ＩＧＳ）５ａに返信する。
【００９０】
ステップＳ８１７では、ＡＳ１ａの暫定接続設定部１１４は、ＵＰＤＡＴＥメソッド（ＳＤＰ：ＰＳＴＮ−ＧＷｐｏｒｔ音声ガイダンス装置Ｙ）をＰＳＴＮ−ＧＷ５ｂへ送信する。
ステップＳ８１８では、ＡＳ１ａの暫定接続設定部１１４は、ＵＰＤＡＴＥメソッド（ＳＤＰ：発ＩＤｐｏｒｔＧＣ）をＰＳＴＮ−ＧＷ（ＩＧＳ）５ａへ送信する。
このように、ステップＳ８１４〜Ｓ８１８によって、着側暫定パスが確立し、ステップＳ８１９に示すように、ＳＲＰ７の音声ガイダンス装置Ｙから着側の端末８ｂに、音声ガイダンスを流すことができる。
【００９１】
図１７に移って、ステップＳ９０１では、音声ガイダンスの終了後に、ＳＣＰ６が、２つの順方向接続の切断、呼セグメントの統合、要求されたイベントの設定、呼処理の継続を示すＩＮＡＰオペレーション（ＤＦＣＷＡ，ＤＦＣＷＡ，ＭＣ，ＲＲＢ，ＣＵＥ）をＡＳ１ａへ送信する。
ステップＳ９０２では、ＡＳ１ａは、発側暫定パスの切断を示すＢＹＥメソッッドをＰＳＴＮ−ＧＷ（ＩＧＳ）５ａへ送信する。
ステップＳ９０３では、ＰＳＴＮ−ＧＷ（ＩＧＳ）５ａは、パスの切断を示すＲＥＬをＳＲＰ７の音声ガイダンス装置Ｘへ送信する。
ステップＳ９０４では、ＰＳＴＮ−ＧＷ（ＩＧＳ）５ａは、ステップＳ９０２のＢＹＥメソッドに対応する応答２００レスポンス（ＯＫ）をＡＳ１ａに返信する。
ステップＳ９０５では、ＳＲＰ７の音声ガイダンス装置Ｘは、ステップＳ９０３に対応する応答ＲＬＣを、ＰＳＴＮ−ＧＷ（ＩＧＳ）５ａに返信する。
ステップＳ９０２〜Ｓ９０４の処理によって、発側暫定パスが解放される。
【００９２】
ステップＳ９０６では、ＡＳ１ａは、着側暫定パスの切断を示すＢＹＥメソッッドをＰＳＴＮ−ＧＷ（ＩＧＳ）５ａへ送信する。
ステップＳ９０７では、ＰＳＴＮ−ＧＷ（ＩＧＳ）５ａは、パスの切断を示すＲＥＬをＳＲＰ７の音声ガイダンス装置Ｙへ送信する。
ステップＳ９０８では、ＰＳＴＮ−ＧＷ（ＩＧＳ）５ａは、ステップＳ９０６のＢＹＥメソッドに対応する応答２００レスポンス（ＯＫ）をＡＳ１ａに返信する。
ステップＳ９０９では、ＳＲＰ７の音声ガイダンス装置Ｙは、ステップＳ９０７に対応する応答ＲＬＣを、ＰＳＴＮ−ＧＷ（ＩＧＳ）５ａに返信する。
ステップＳ９０６〜Ｓ９０９の処理によって、着側暫定パスが解放される。
【００９３】
次に、ステップＳ９１０〜Ｓ９１１の処理によって、端末８ａと端末８ｂとを発着接続する。
ステップＳ９１０では、ＡＳ１ａの接続切換設定部１１５は、ＳＤＰとしてＰＳＴＮ−ＧＷｐｏｒｔＧＣを格納したＵＰＤＡＴＥメソッドを、加入者サーバ２を介してＩＰ変換装置３へ送信する。
ステップＳ９１１では、ＡＳ１ａの接続切換設定部１１５は、ＳＤＰとして発ＩＤｐｏｒｔを格納したＵＰＤＡＴＥメソッドを、ＰＳＴＮ−ＧＷ５ｂへ送信する。
このようにして、ステップＳ９１２では、端末８ａと端末８ｂとの間で通話を行うことができる。
【００９４】
次に、ステップＳ９１３〜Ｓ９２０の処理によって、発着接続が切断される。
ステップＳ９１３では、端末８ａがオンフックしたことをＩＰ変換装置３を介して検知した加入者サーバ２は、ＢＹＥリクエストをＡＳ１ａへ送信する。
ステップＳ９１４では、ＡＳ１ａは、ステップＳ９１３に対応する応答２００レスポンスを加入者サーバ２に返信する。
ステップＳ９１５では、ＡＳ１ａのＩＮＡＰオペレーション設定部１１２は、呼関連のイベント（回線解放）を検出したことを示すＥＲＢをＳＣＰ６へ送信する。
ステップＳ９１６では、ＳＣＰ６は、ステップＳ９１５のＥＲＢを受信したことおよび終了を示すＥ：［］（End）をＡＳ１ａに返信する。
【００９５】
ステップＳ９１７では、ＡＳ１ａは、ＰＳＴＮ−ＧＷ５ｂに向けて、ＢＹＥリクエストを送信する。
ステップＳ９１８では、ＰＳＴＮ−ＧＷ５ｂは、ステップＳ９１７に対応する応答２００レスポンスをＡＳ１ａに返信する。
ステップＳ９１９では、ＰＳＴＮ−ＧＷ５ｂは、ＲＥＬをＧＣへ送信する。
ステップＳ９２０では、ＧＣはステップＳ９１９のＲＥＬに対応する応答ＲＬＣをＰＳＴＮ−ＧＷ５ｂに返信する。
【００９６】
以上、第３実施形態では、ＡＳ１ａが直接にＳＣＰ６から接続制御指示を受信して、（１）発着通信、発信者用の音声ガイダンス装置への通信、および着信者用の音声ガイダンス装置への通信の独立した３つの通信を一元的に管理する機能、（２）発信者および着信者それぞれの音声パスを適切に切り換える機能、を備えることによって、高度サービスを実現することができる。したがって、ＡＳ１ａ以外の既存ＩＰ網の設備や既設ＰＳＴＮの交換機を改造する必要がない。
また、音声ガイダンス装置を用いない場合には、図１５のステップＳ７０５〜Ｓ７１２、図１６のステップＳ８０８〜Ｓ８１９、および図１７のステップＳ９０１〜Ｓ９０９は不要である。
【００９７】
（第４実施形態）
第４実施形態のサービス提供システムにおける構成例および動作例（ダイヤル番号トリガの場合）について、図１８を用いて説明する（適宜図１３参照）。第４実施形態におけるネットワーク構成は、第３実施形態におけるネットワーク構成と同様であるので、説明を省略する。なお、第４実施形態における動作は、ステップＳ６１ａ，Ｓ６２ａ，Ｓ６３ａにおいて第３実施形態における動作と異なる。
【００９８】
ステップＳ６１ａでは、端末８ｃからＳＣＰアクセス用番号（高度サービス用の電話番号）（例えば、０ＡＢ０＋Ｄ〜Ｊ等）がダイヤル入力された場合、ＩＰ変換装置３は、当該ＳＣＰアクセス用番号を検出して、その検出したＳＣＰアクセス用番号を格納したＩＮＶＩＴＥリクエストを生成し、加入者サーバ２へ送信する。なお、ＩＰ変換装置３は、ＳＣＰアクセス用番号を判定できるように、ＳＣＰアクセス用番号の一部または全部を記憶している記憶部を備えているものとする。
ステップＳ６２ａでは、加入者サーバ２は、受信したＳＣＰアクセス用番号に基づいてＳＣＰアクセスであることを判定し、ＳＣＰアクセス用番号に対応する高度サービスを提供するＡＳ１へＩＮＶＩＴＥリクエストを送信する。
ステップＳ６３では、ＡＳ１ａは、受信したＩＮＶＩＴＥリクエストからＳＣＰアクセス情報（ダイヤル番号トリガの場合ではＳＣＰアクセス用番号）を抽出し、当該ＳＣＰアクセス情報に基づいて、他事業者識別番号を抽出する。そして、その他事業者識別番号によって識別される他事業者の他事業者網（他網）に備えられているＳＣＰ６に制御指示要求のＩＮＡＰオペレーションを送信する。
そして、ステップＳ６３ａ以降の処理であるステップＳ６４〜Ｓ６７は、第３実施形態におけるステップＳ３４〜Ｓ３５の処理と同じであるので、説明を省略する。なお、ステップＳ６１ａにおける送信先の加入者サーバ２は、ＳＣＰアクセス加入者を収容する加入者サーバであるものとする。また、ステップＳ６２ａにおける加入者サーバ２は、ＳＣＰアクセス用番号を判定できるように、ＳＣＰアクセス用番号の一部または全部を記憶し、そのＳＣＰアクセス用番号の一部または全部とアクセス先のＡＳ１ａとを関連付けて記憶している記憶部（不図示）を備えているものとする。また、ステップＳ６３ａにおけるＡＳ１ａは、ＳＣＰアクセス用番号の一部または全部と他事業者識別番号とを関連付けて記憶している記憶部（不図示）を備えているものとする。
また、第４実施形態のシーケンス例は、第３実施形態のシーケンス例として示した図１５〜１７とほぼ同様である。ただし、第４実施形態では、ステップＳ７０１において、サービス番号にＳＣＰアクセス用番号が用いられる点において、第３実施形態と異なる。
【００９９】
以上、第４実施形態では、第３実施形態と同様に、ＡＳ１ａ以外の既存ＩＰ網の設備や既設ＰＳＴＮの交換機を改造することなく、ＡＳ１ａが直接にＳＣＰ６から接続制御指示を受信して、（１）発着通信、発信者用の音声ガイダンス装置への通信、および着信者用の音声ガイダンス装置への通信の独立した３つの通信を一元的に管理する機能、（２）発信者および着信者それぞれの音声パスを適切に切り換える機能、を備えることによって、高度サービスを実現することができる。
【０１００】
なお、第３実施形態および第４実施形態では、ＰＳＴＮ−ＧＷ（ＩＧＳ）５ａおよびＰＳＴＮ−ＧＷ５ｂとを別の装置として説明したが、一つの装置であっても構わない。
【符号の説明】
【０１０１】
１，１ａ    ＡＳ（アプリケーションサーバ）
２    加入者サーバ
３    ＩＰ変換装置
４    中継サーバ
５，５ｂ    ＰＳＴＮ−ＧＷ
５ａ  ＰＳＴＮ−ＧＷ（ＩＧＳ）
６    ＳＣＰ（サービス制御装置）
７    ＳＲＰ（音声ガイダンス装置）
８，８ａ，８ｂ，８ｃ  端末
１１，２１，３１  処理部
１２，２２，３２  通信部
１３，２３，３３  記憶部
１１１  ＳＣＰアクセス情報設定部
１１２  ＩＮＡＰオペレーション設定部
１１３  発着接続設定部
１１４  暫定接続設定部
１１５  接続切替設定部
１３１  事業者ＤＢ
２１１  ＳＣＰアクセス判定部
２３１  サービスＤＢ
３１１  パケット生成部
３１２  ＳＣＰ登録判定部
３３１  加入者ＤＢ
【図１】
2011160220.tif 000003
【図２】
2011160220.tif 000004
【図３】
2011160220.tif 000005
【図４】
2011160220.tif 000006
【図５】
2011160220.tif 000007
【図６】
2011160220.tif 000008
【図７】
2011160220.tif 000009
【図８】
2011160220.tif 000010
【図９】
2011160220.tif 000011
【図１０】
2011160220.tif 000012
【図１１】
2011160220.tif 000013
【図１２】
2011160220.tif 000014
【図１３】
2011160220.tif 000015
【図１４】
2011160220.tif 000016
【図１５】
2011160220.tif 000017
【図１６】
2011160220.tif 000018
【図１７】
2011160220.tif 000019
【図１８】
2011160220.tif 000020